(57)【特許請求の範囲】
【請求項１】
（メタ）アクリレート系重合体、重合性化合物及び光重合開始剤を含む硬化性樹脂組成物であって、
該（メタ）アクリレート系重合体は、３級炭素含有（メタ）アクリレート系単量体単位、水酸基を有する単量体単位、及び、活性メチレン基を有する単量体単位を有することを特徴とする硬化性樹脂組成物。
【請求項２】
前記（メタ）アクリレート系重合体において、３級炭素含有（メタ）アクリレート系単量体単位の含有割合は、全単量体単位の総量１００質量％に対し、５〜９０質量％であり、水酸基を有する単量体単位の含有割合は、全単量体単位の総量１００質量％に対し、５〜５０質量％であり、活性メチレン基を有する単量体単位の含有割合は、全単量体単位の総量１００質量％に対し、３〜４０質量％であることを特徴とする請求項１に記載の硬化性樹脂組成物。
【請求項３】
前記（メタ）アクリレート系重合体は、更に、（メタ）アクリル酸単位を有することを特徴とする請求項１又は２に記載の硬化性樹脂組成物。
【請求項４】
前記３級炭素含有（メタ）アクリレート系単量体は、（メタ）アクリロイル基に隣接する酸素原子が第３級炭素原子と結合した構造を有することを特徴とする請求項１〜３のいずれかに記載の硬化性樹脂組成物。
【請求項５】
前記活性メチレン基を有する単量体は、下記式（２）で表されることを特徴とする請求項１〜４のいずれかに記載の硬化性樹脂組成物。
【化１】
0006495769.tif 000009
式（２）中、Ｒ１は、水素原子、又は、ヘテロ原子を含有してもよい炭素数１〜２４の炭化水素基を表す。Ｘは、下記式（２−１）〜（２−３）のいずれかで表される２価の基を表す。Ｒ２は、単結合、又は、炭素数１〜２０の２価の炭化水素基を表す。Ｒ３は、下記式（２−４）〜（２−６）のいずれかで表される２価の基を表す。Ｒ４は、シアノ基（−ＣＮ）、ニトロ基（−ＮＯ２）、又は、下記式（２−７）若しくは（２−８）で表される基を表す。Ｒ５は、水素原子、又は、ヘテロ原子を含有してもよい炭素数１〜２４の炭化水素基を表す。
【化２】
0006495769.tif 000010
【請求項６】
前記（メタ）アクリレート系重合体は、主鎖に環構造を有することを特徴とする請求項１〜５のいずれかに記載の硬化性樹脂組成物。
【請求項７】
前記硬化性樹脂組成物は、更に色材を含むことを特徴とする請求項１〜６のいずれかに記載の硬化性樹脂組成物。
【請求項８】
請求項１〜７のいずれかに記載の硬化性樹脂組成物を硬化してなることを特徴とする硬化物。
【請求項９】
基板上に、請求項８に記載の硬化物を有することを特徴とするカラーフィルター。
【請求項１０】
請求項９に記載のカラーフィルターを用いて構成されることを特徴とする表示装置。
【発明の詳細な説明】
【技術分野】
【０００１】
本発明は、硬化性樹脂組成物及びその用途に関する。
【背景技術】
【０００２】
熱や活性エネルギー線によって硬化しうる硬化性樹脂組成物は、例えば、光学部材や電機・電子機器等の各種用途への適用が種々検討され、各用途で要求される特性に優れた硬化性樹脂組成物の開発がなされている。具体的な用途の一例としてカラーフィルターが挙げられるが、カラーフィルターとは、液晶表示装置や固体撮像素子等を構成する主要部材であり、一般に、基板、少なくとも３原色（赤（Ｒ）・緑（Ｇ）・青（Ｂ））の画素、及び、それらを区切る樹脂ブラックマトリクス（ＢＭ）に加え、画素及び樹脂ブラックマトリクスを被覆・保護し、かつそれらの凹凸を平坦化するために設けられる保護膜等から構成されるものである。
【０００３】
通常、硬化性樹脂組成物を用いてカラーフィルターの画素形成を行う場合は、画素一色につき、（１）基板全面に硬化性樹脂組成物を塗布する塗布工程と、（２）塗布工程により形成されたレジスト膜に、フォトマスクを介してパターン露光して露光部を硬化させた後、硬化部を不溶化する露光工程と、（３）現像液により未露光部を除去した後、焼成（ベーク）によって露光部を更に硬化させる現像・焼成（ベーク）処理工程とを行い、これと同じ工程を各色で繰り返す手法が採用されている。このようなカラーフィルター用途等への適用を考慮すると、硬化性樹脂組成物には、硬化性、硬化後の耐溶剤性、基板との密着性、耐熱性及び透明性等の各種物性を有することが求められる。そこで、例えば、特許文献１〜３に記載の手法が提案されている。
【先行技術文献】
【特許文献】
【０００４】
【特許文献１】特開２００７−３３３８４７号公報
【特許文献２】特開２０１２−０２２０４８号公報
【特許文献３】特開２００７−０３４１３４号公報
【発明の概要】
【発明が解決しようとする課題】
【０００５】
上述したように硬化性樹脂組成物には、硬化性、硬化後の耐溶剤性、基板（基材とも称す）との密着性、耐熱性及び透明性等の各種物性を有することが求められている。そして近年では、光学部材や電機・電子機器等の小型化・薄型化・省エネルギー化が進みつつあり、それに伴って、使用されるカラーフィルター等の部材には高品位な性能が要望されるようになったことから、新たな課題が生じている。例えばカラーフィルター用途では、顔料や染料等の色材の濃度が高くなるにつれ、製造工程で、洗浄溶媒に色材が溶出する問題がある。従って、硬化後に非常に高度な耐溶剤性を発現することが求められる。しかしながら、従来の樹脂組成物では、これらの要望に充分に対応できないのが現状である。例えば、特許文献１及び２に記載の樹脂組成物では、耐溶剤性が充分ではないために、製造工程で色材が洗浄溶剤に溶けだし、色特性が低下することがあるため、この点等で改善の余地があった。また、特許文献３に記載の樹脂組成物では、耐溶剤性が改善されてはいるものの、更なる改善をすることで、密着性や現像性等の総合特性を向上する余地があった。
【０００６】
本発明は、上記現状に鑑みてなされたものであり、硬化性、硬化後の耐溶剤性、基板との密着性、耐熱性及び透明性等の各種物性を安定的に発揮でき、保存安定性にも優れ、カラーフィルター等の各種用途に有用な硬化性樹脂組成物を提供することを目的とする。本発明はまた、このような硬化性樹脂組成物により形成される硬化物、並びに、該硬化物を用いたカラーフィルター及び表示装置を提供することも目的とする。
【課題を解決するための手段】
【０００７】
本発明者は、カラーフィルター等の各種用途に有用な硬化性樹脂組成物について種々検討したところ、（メタ）アクリレート系重合体、重合性化合物及び光重合開始剤を含む樹脂組成物とすると、硬化性を有するものとなることに着目した。そして、（メタ）アクリレート系重合体を、３級炭素含有（メタ）アクリレート系単量体に由来する構成単位（３級炭素含有（メタ）アクリレート系単量体単位とも称する）と、水酸基を有する単量体に由来する構成単位（水酸基を有する単量体単位とも称する）と、活性メチレン基を有する単量体に由来する構成単位（活性メチレン基を有する単量体単位とも称する）とを有するものとすると、当該樹脂組成物は、硬化後の耐溶剤性が飛躍的に向上され、高度な透明性、基板との密着性、耐熱性及び高硬度等の各種物性を安定的に発現できる硬化物を与えるものとなることを見いだした。また、当該樹脂組成物を用いれば、アルカリ現像の際の現像時間を短縮することもでき、より生産性が向上され、かつ製造コストの低減も可能になることを見いだした。このような硬化性樹脂組成物は、カラーフィルター用途に特に有用であり、中でも、カラーフィルター用の画素を形成するための樹脂組成物として好適である。そのため、このような硬化性樹脂組成物から形成される硬化物、カラーフィルター及び表示装置は、近年の高性能化の要望に充分に対応できるものとして光学分野や電機・電子分野で極めて有用なものとなることを見いだし、上記課題をみごとに解決することができることに想到し、本発明に到達した。
【０００８】
ここで、本発明の硬化性樹脂組成物に含まれる（メタ）アクリレート系重合体は、３級炭素含有（メタ）アクリレート系単量体単位を有するが、当該単位は熱により分解されやすい。例えば、後述するように当該単量体単位を与える３級炭素含有（メタ）アクリレート系単量体が、（メタ）アクリロイル基に隣接する酸素原子が第３級炭素原子と結合した構造を有する場合には、（メタ）アクリロイル基に隣接する酸素原子と、それに隣接する第３級炭素原子との間のＯ−Ｃ結合が切断されやすく、これにより、（メタ）アクリル酸と、第３級炭素原子側で生じる安定的な化合物とに分解される。そのため、例えば、本発明の硬化性樹脂組成物をカラーフィルターの画素形成に用いた場合には、現像後の加熱工程（焼成工程又はポストベーク工程とも称す）によって、３級炭素含有（メタ）アクリレート系単量体単位が分解され、（メタ）アクリル酸と、第３級炭素原子側で生じる安定的な化合物とが生成する。そして、重合体中の水酸基及び必要に応じて含まれ得るエステル基と、生成した（メタ）アクリル酸との間でエステル架橋構造が生じることに起因して、樹脂組成物の硬化性及び硬化後の耐溶剤性が飛躍的に向上されるものと考えられる。
【０００９】
すなわち本発明は、（メタ）アクリレート系重合体、重合性化合物及び光重合開始剤を含む硬化性樹脂組成物であって、該（メタ）アクリレート系重合体は、３級炭素含有（メタ）アクリレート系単量体単位、水酸基を有する単量体単位、及び、活性メチレン基を有する単量体単位を有する、硬化性樹脂組成物である。
本発明はまた、上記硬化性樹脂組成物を硬化してなる硬化物でもある。
本発明は更に、基板上に、上記硬化物を有するカラーフィルターでもある。
本発明はそして、上記カラーフィルターを用いて構成される表示装置でもある。
【発明の効果】
【００１０】
本発明の硬化性樹脂組成物は、現像性が極めて良好であるうえ、硬化性、硬化後の耐溶剤性、基板との密着性、耐熱性及び透明性等の各種物性を安定的に発揮でき、保存安定性にも優れ、カラーフィルター等の各種用途に有用なものである。したがって、このような硬化性樹脂組成物により形成される硬化物（硬化膜）を有するカラーフィルター及び表示装置は、光学分野や電機・電子分野で非常に有用なものである。
【発明を実施するための形態】
【００１１】
以下に本発明を詳述する。以下に記載される本発明の個々の好ましい形態を２又は３以上組み合わせた形態も本発明の好ましい形態である。
なお、範囲を表す「Ａ〜Ｂ」は、「Ａ以上Ｂ以下」を意味する。
【００１２】
〔硬化性樹脂組成物〕
本発明の硬化性樹脂組成物は、（メタ）アクリレート系重合体、重合性化合物及び光重合開始剤を含むが、これら含有成分は、それぞれ１種又は２種以上を使用することができる。また、必要に応じて、更に、他の成分を１種又は２種以上含んでいてもよい。
【００１３】
＜（メタ）アクリレート系重合体＞
上記（メタ）アクリレート系重合体は、３級炭素含有（メタ）アクリレート系単量体単位と、水酸基を有する単量体単位と、活性メチレン基を有する単量体単位とを有する。各構成単位は、それぞれ１種又は２種以上であってもよい。また必要に応じて、更に、他の単量体に由来する構成単位（他の単量体単位とも称す）を１種又は２種以上含んでもよい。
以下、（メタ）アクリレート系重合体の構造について更に説明する。
【００１４】
（ｉ）３級炭素含有（メタ）アクリレート系単量体単位
３級炭素含有（メタ）アクリレート系単量体単位とは、３級炭素含有（メタ）アクリレート系単量体に由来する構成単位であり、当該単量体が有する重合性炭素−炭素二重結合（Ｃ＝Ｃ）が単結合（Ｃ−Ｃ）になった構造単位を意味する。ここで、３級炭素含有（メタ）アクリレート系単量体とは、分子中に、（メタ）アクリロイル基と、第３級炭素原子とを、それぞれ１又は２以上有する化合物である。第３級炭素原子とは、該炭素原子に結合している他の炭素原子が３個である、炭素原子を意味する。
【００１５】
上記３級炭素含有（メタ）アクリレート系単量体は、（メタ）アクリロイル基に隣接する酸素原子が第３級炭素原子と結合した構造を有するものであることが好ましい。これにより、現像後の加熱工程によって、３級炭素含有（メタ）アクリレート系単量体単位がより分解されやすくなるため、上述のとおり樹脂組成物の硬化性及び硬化後の耐溶剤性が飛躍的に向上される。
【００１６】
上記３級炭素含有（メタ）アクリレート系単量体としては、１分子中に重合性炭素−炭素二重結合を１個有する化合物、すなわち１分子中に（メタ）アクリロイル基（ＣＨ２＝Ｃ（Ｒ）−Ｃ（＝Ｏ）−）を１個有する化合物であることが好ましい。中でも、下記一般式（１）で表される化合物がより好適である。
ＣＨ２＝Ｃ（Ｒ）−Ｃ（＝Ｏ）−Ｏ−Ａ      （１）
式（１）中、Ｒは、水素原子又はメチル基を表す。Ａは、酸素原子側に第３級炭素原子を有する構造を含む、一価の有機基を表す。
【００１７】
上記一般式（１）において、Ａで表される有機基は、例えば、−Ｃ（Ｒ１）（Ｒ２）（Ｒ３）で表すことができる。この場合、Ｒ１、Ｒ２及びＲ３は、同一又は異なって、炭素数１〜３０の炭化水素基であることが好ましい。この炭化水素基は、飽和炭化水素基であってもよいし、不飽和炭化水素基であってもよい。また、環状構造を有するものであってもよいし、更に置換基を有していてもよい。また、Ｒ１、Ｒ２及びＲ３は、互いに末端部位で連結して環状構造を形成していてもよい。だが、３級炭素含有（メタ）アクリレート系単量体単位に由来する効果を充分に発揮させる観点からは、Ｒ１、Ｒ２及びＲ３は、環状構造を有さないことが好ましく、また、互いに末端部位で連結して環状構造を形成するものでないことが好ましい。
【００１８】
また本発明では、後述するように、（メタ）アクリロイル基に隣接する酸素原子と、それに隣接するＡ中の第３級炭素原子との間のＯ−Ｃ結合が切断されて生成する新たな化合物が揮発し易い点で、Ａで表される有機基の炭素数は１２以下であることが好ましい。中でも、Ａで表される有機基は、（メタ）アクリル酸ｔ−ブチルに由来する基、及び／又は、（メタ）アクリル酸ｔ−アミルに由来する基であることが好ましい。また、Ａで表される有機基は、分岐構造を有していてもよい。
【００１９】
上記３級炭素含有（メタ）アクリレート系単量体において、（メタ）アクリロイル基に隣接する酸素原子に結合する第３級炭素原子は、隣接する炭素原子の少なくとも１つが水素原子と結合していることが好適である。例えば、３級炭素含有（メタ）アクリレート系単量体が上記一般式（１）で表される化合物であって、かつ式中のＡが、−Ｃ（Ｒ１）（Ｒ２）（Ｒ３）で表される基である場合、Ｒ１、Ｒ２及びＲ３のうち少なくとも１つが、水素原子を１個以上有する炭素原子を含み、かつ該炭素原子が第３級炭素原子に結合することが好適である。このような形態では、加熱により、（メタ）アクリロイル基に隣接する酸素原子と、それに隣接する第３級炭素原子との間のＯ−Ｃ結合が切断され、（メタ）アクリル酸が生成すると同時に、該第３級炭素原子とそれに隣接する炭素原子との間で二重結合（Ｃ＝Ｃ）が形成されて新たな化合物がより安定的に生成することになる。
【００２０】
上記のようにして生成した新たな化合物は、揮発するものであることが好適である。この場合、当該新たな化合物が硬化物中から揮散することに起因して、硬化物（硬化膜）の膜厚が低減されると同時に、例えば、上記硬化性樹脂組成物が色材を更に含む場合には、色材濃度が加熱後に高まる。そのため、より一層の薄膜化を実現できるとともに、高色純度化やブラックマトリックスの高遮光率化をより図ることが可能になる。この点を考慮すると、上記Ｒ１、Ｒ２及びＲ３は、同一又は異なって、炭素数１〜１５の飽和炭化水素基を表すことが好ましい。より好ましくは炭素数１〜１０の飽和炭化水素基、更に好ましくは炭素数１〜５の飽和炭化水素基、特に好ましくは炭素数１〜３の飽和炭化水素基である。
【００２１】
上記（メタ）アクリレート系重合体において、３級炭素含有（メタ）アクリレート系単量体単位の含有割合は、全単量体単位の総量１００質量％（すなわち、「（メタ）アクリレート系重合体の質量１００質量％」に相当する。）に対し、５質量％以上であることが好適である。これにより、３級炭素含有（メタ）アクリレート系単量体単位に起因する本発明の効果がより一層発現されることになる。より好ましくは１５質量％以上、更に好ましくは２０質量％以上である。また、上記含有割合の上限は、その他の単量体単位の含有割合を考慮して適宜設定すればよいが、例えば、カラーフィルター用途に使用する場合、パターン特性や現像性をより向上させる観点から、９０質量％以下であることが好ましい。より好ましくは７５質量％以下、更に好ましくは６０質量％以下である。
【００２２】
（ｉｉ）水酸基を有する単量体単位
水酸基を有する単量体単位とは、水酸基（ヒドロキシル基）を有する単量体に由来する構成単位であり、当該単量体中の重合性炭素−炭素二重結合（Ｃ＝Ｃ）が単結合（Ｃ−Ｃ）になった構造単位を意味する。このような単量体単位を含むことで、硬化性樹脂組成物の硬化性が向上され、耐溶剤性や透明性に優れる硬化物を与えることができる。
【００２３】
上記水酸基を有する単量体は、１分子内に１又は２以上の水酸基を有する単量体であるが、例えば、ヒドロキシアルキル（メタ）アクリレートが好ましい。このヒドロキシアルキル基を構成する炭素数は特に限定されないが、例えば、１〜２０が好ましく、より好ましくは１〜１２、更に好ましくは２〜６である。
【００２４】
上記ヒドロキシアルキル（メタ）アクリレートとして具体的には、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル、（メタ）アクリル酸２，３−ジヒドロキシプロピル等が挙げられる。
【００２５】
上記（メタ）アクリレート系重合体において、水酸基を有する単量体単位の含有割合は、例えば、全単量体単位の総量１００質量％に対し、５〜５０質量％であることが好適である。この範囲にあると、硬化性がより充分となって耐溶剤性が向上する。また、親水性が適度なものとなるため、現像時の不具合（例えば、現像時に剥離したり、表面が荒れて白化したりすること）の発生をより充分に低減することが可能になる。より好ましくは１０〜４０質量％、更に好ましくは１５〜３５質量％である。
【００２６】
（ｉｉｉ）活性メチレン基を有する単量体単位
活性メチレン基を有する単量体単位とは、活性メチレン基を有する単量体に由来する構成単位であり、当該単量体中の重合性炭素−炭素二重結合（Ｃ＝Ｃ）が単結合（Ｃ−Ｃ）になった構造単位を意味する。このような単量体単位を含むことで、硬化性樹脂組成物の耐溶剤性及び現像性が良好になる。
【００２７】
上記活性メチレン基を有する単量体は、１分子内に１又は２以上の活性メチレン基を有する単量体であるが、例えば、下記式（２）で表される化合物が好適である。これにより、硬化性樹脂組成物の感度をより向上させることが可能になる。このように活性メチレン基を有する単量体が下記式（２）で表される形態は、本発明の好適な形態の１つである。
【００２８】
【化１】
0006495769.tif 000002
【００２９】
式（２）中、Ｒ１は、水素原子、又は、ヘテロ原子を含有してもよい炭素数１〜２４の炭化水素基を表す。Ｘは、下記式（２−１）〜（２−３）のいずれかで表される２価の基を表す。Ｒ２は、単結合、又は、炭素数１〜２０の２価の炭化水素基を表す。Ｒ３は、下記式（２−４）〜（２−６）のいずれかで表される２価の基を表す。Ｒ４は、シアノ基（−ＣＮ）、ニトロ基（−ＮＯ２）、又は、下記式（２−７）若しくは（２−８）で表される基を表す。Ｒ５は、水素原子、又は、ヘテロ原子を含有してもよい炭素数１〜２４の炭化水素基を表す。
【００３０】
【化２】
0006495769.tif 000003
【００３１】
上記式中、Ｒ１及びＲ５は、同一又は異なって、水素原子、又は、ヘテロ原子を含有してもよい炭素数１〜２４の炭化水素基を表す。中でも好ましくは、水素原子、メチル基、エチル基、プロピル基、ブチル基、ヘキシル基、シクロヘキシル基、メトキシ基、エトキシ基、プロポキシ基、ヘキソキシ基、シクロヘキソキシ基、又は、下記式（２−９）〜（２−１１）で表される基であり、より好ましくは水素原子又はメチル基である。
【００３２】
【化３】
0006495769.tif 000004
【００３３】
Ｒ２は、単結合、又は、炭素数１〜２０の２価の炭化水素基を表す。中でも好ましくは、単結合、メチレン基、エチレン基、プロピレン基、ブチレン基、プロピレン基、へキシレン基、シクロへキシレン基、オクチレン基、デシレン基又はドデシレン基であり、より好ましくは、単結合、メチレン基又はエチレン基である。
【００３４】
上記式（２）で表される化合物として具体的には、例えば、下記式（３−１）〜（３−１６）で表される化合物等が好ましい。
【００３５】
【化４】
0006495769.tif 000005
【００３６】
上記式（３−１）〜（３−７）及び（３−１６）中、Ｒ６は、同一又は異なって、水素原子又はメチル基を表す。すなわち、メタクリル基からなる構成単位を導く化合物であってもよいし、アクリル基からなる構成単位を導く化合物であってもよい。これら式（３−１）〜（３−１６）で表される化合物の中でも、２−（メタクリロイルオキシ）エチルアセトアセテート（すなわち、上記式（３−１）で表される化合物であって、Ｒ６がメチル基を表す化合物）が特に好ましい。
また、特開２００７−３４１３４号公報に例示の活性メチン基を有する不飽和化合物を併用してもよい。
【００３７】
上記（メタ）アクリレート系重合体において、活性メチレン基を有する単量体単位の含有割合は、例えば、全単量体単位の総量１００質量％に対し、３〜４０質量％であることが好適である。この範囲にあると、耐溶剤性の効果が特に発現され、現像性もより良好になる。なお、含有割合が過度に多くなると、色材又は多官能の重合性単量体と併用する場合に、これらと非相溶になって硬化膜にした際に白化しやすい傾向や、耐熱着色性が充分に発揮されず、パネルにした際の輝度がより充分とはならない傾向にある。より好ましくは３〜３０質量％、更に好ましくは４〜２０質量％である。
【００３８】
（ｉｖ）酸基を有する単量体単位
上記（メタ）アクリレート系重合体は更に、酸基を有する単量体単位を有することが好ましい。酸基を有する単量体単位とは、酸基を有する単量体に由来する構成単位であり、当該単量体中の重合性炭素−炭素二重結合（Ｃ＝Ｃ）が単結合（Ｃ−Ｃ）になった構造単位を意味する。例えば、アクリル酸単位とは、アクリル酸を共重合又はグラフト重合した場合の、アクリル酸由来の構成単位を意味する。
【００３９】
上記酸基を有する単量体は、１分子内に１又は２以上の酸基を有する単量体である。酸基としては、例えば、カルボキシル基、フェノール性水酸基、カルボン酸無水物基、リン酸基、スルホン酸基等、アルカリ水と中和反応する官能基が挙げられる。中でも、カルボキシル基又はカルボン酸無水物基が好ましく、より好ましくはカルボキシル基であり、更に好ましくは（メタ）アクリル酸基である。
【００４０】
上記酸基を有する単量体として特に好ましくは（メタ）アクリル酸である。すなわち上記酸基を有する単量体単位は（メタ）アクリル酸単位であることが好ましい。このように上記（メタ）アクリレート系重合体が、更に、（メタ）アクリル酸単位を有する形態は、本発明の好適な形態の１つである。なお、耐溶剤性の点で、アクリル酸の方が、メタクリル酸より好ましい。
本明細書中、（メタ）アクリル酸とは、アクリル酸及び／又はメタクリル酸を意味する。
【００４１】
ここで、上記（メタ）アクリレート系重合体の酸価（ＡＶ）は、２０〜３００ｍｇＫＯＨ／ｇであることが好ましい。これにより、より充分なアルカリ可溶性が発現され、現像性により優れる硬化物を得ることが可能になる。特に酸価がこの範囲にあると、耐溶剤性がより向上され、また、現像速度が適度なものとなって密着性がより向上したり、現像時に表面荒れが生じるおそれをより抑制したりすることができる。また、酸価がこの範囲になるように酸基を有する単量体単位（好ましくは（メタ）アクリル酸単位）の含有量を設定することで、耐溶剤性が更に向上する。酸価は、より好ましくは６０〜１６０ｍｇＫＯＨ／ｇである。
【００４２】
上記酸基を有する単量体単位（好ましくは（メタ）アクリル酸単位）の含有割合は、（メタ）アクリレート系重合体の酸価が上述した好ましい範囲内となるように設定することが好適である。例えば、全単量体単位の総量１００質量％に対し、２質量％以上であることが好ましく、より好ましくは５質量％以上、更に好ましくは８質量％以上である。また、５０質量％以下であることが好ましく、より好ましくは３５質量％以下、更に好ましくは２５質量％以下である。
【００４３】
（ｖ）主鎖環構造
上記（メタ）アクリレート系重合体は、主鎖に環構造を有することが好ましい。上記（メタ）アクリレート系重合体として主鎖に環構造を有する重合体を用いると、耐熱性や表面硬度、密着性により優れ、また、例えば、高温暴露後の経時変化がより抑制されて各種物性をより一層安定して発現できる硬化物を得ることができる。なお、最近の表示装置では、各種部材に外部からの衝撃に耐えうる強度をもたせるため、基板に強化ガラスを使用することがあるが、上記（メタ）アクリレート系重合体として主鎖に環構造を有する重合体を用いると、高温暴露後においても強化ガラスに対して優れた密着性を発揮できる硬化物が得られるため、非常に好適である。
【００４４】
上記（メタ）アクリレート系重合体が主鎖に環構造を有する場合、当該重合体は、例えば、３級炭素含有（メタ）アクリレート系単量体と、水酸基を有する単量体と、活性メチレン基を有する単量体と、主鎖に環構造を形成しうる単量体とを含む単量体成分を共重合して得られる重合体であることが好ましい。この単量体成分は、上述のとおり、酸基を有する単量体（好ましくは（メタ）アクリル酸）を更に含むことがより好ましい。
【００４５】
上記環構造としては、イミド環、テトラヒドロピラン環、テトラヒドロフラン環、ラクトン環等が挙げられる。
【００４６】
上記主鎖に環構造を形成しうる単量体としては、例えば、Ｎ置換マレイミド系単量体、ジアルキル−２，２’−（オキシジメチレン）ジアクリレート系単量体、α−（不飽和アルコキシアルキル）アクリレート系単量体（好ましくはアルキル−（α−アリルオキシメチル）アクリレート系単量体）等を使用することが好ましい。このように上記（メタ）アクリレート系重合体が、Ｎ置換マレイミド系単量体単位、ジアルキル−２，２’−（オキシジメチレン）ジアクリレート系単量体単位及びα−（不飽和アルコキシアルキル）アクリレート系単量体単位からなる群より選択される少なくとも１種の単量体単位を含む形態は、本発明の好適な形態の１つである。
【００４７】
ここで、例えば、Ｎ置換マレイミド系単量体及び／又はジアルキル−２，２’−（オキシジメチレン）ジアクリレート系単量体及び／又はα−（不飽和アルコキシアルキル）アクリレート系単量体を用いると、耐熱性、硬度及び色材分散性等がより向上された硬化物を与えることが可能になる。特に、ジアルキル−２，２’−（オキシジメチレン）ジアクリレート系単量体及び／又はα−（不飽和アルコキシアルキル）アクリレート系単量体を用いると、耐熱着色性により優れる硬化物が得られる。
【００４８】
上記主鎖に環構造を形成しうる単量体単位の含有割合は、全単量体単位の総量１００質量％中、６０質量％以下とすることが好ましく、５０質量％以下とすることがより好適である。特にＮ置換マレイミド系単量体、ジアルキル−２，２’−（オキシジメチレン）ジアクリレート系単量体及び／又はα−（不飽和アルコキシアルキル）アクリレート系単量体を含む場合、その含有割合は、耐熱性や硬度、色材分散性、現像速度、透明性等の観点から、２〜６０質量％とすることが好ましく、より好ましくは２〜５０質量％、更に好ましくは３〜４０質量％である。
【００４９】
上記Ｎ置換マレイミド系単量体としては、例えば、Ｎ−シクロヘキシルマレイミド、Ｎ−フェニルマレイミド、Ｎ−メチルマレイミド、Ｎ−エチルマレイミド、Ｎ−イソプロピルマレイミド、Ｎ−ｔ−ブチルマレイミド、Ｎ−ドデシルマレイミド、Ｎ−ベンジルマレイミド、Ｎ−ナフチルマレイミド、ｐ−メチルベンジルマレイミド、ｐ−ブチルベンジルマレイミド、ｐ−ヒドロキシベンジルマレイミド、ｏ−クロロベンジルマレイミド、ｏ−ジクロロベンジルマレイミド、ｐ−ジクロロベンジルマレイミド等が挙げられ、これらの１種又は２種以上を用いることができる。中でも、透明性の観点から、Ｎ−フェニルマレイミド又はＮ−ベンジルマレイミドが好ましく、より好ましくはＮ−ベンジルマレイミドである。
【００５０】
上記ジアルキル−２，２’−（オキシジメチレン）ジアクリレート系単量体としては、例えば、２，２’−〔オキシビス（メチレン）〕ビスアクリル酸、ジアルキル−２，２’−〔オキシビス（メチレン）〕ビス−２−プロペノエート等が挙げられる。これらの中でも、透明性や分散性、工業的入手の容易さ等の観点から、例えば、ジメチル−２，２’−［オキシビス（メチレン）］ビス−２−プロペノエート等を用いることが好適である。
【００５１】
上記α−（不飽和アルコキシアルキル）アクリレート系単量体としては、例えば、α−アリルオキシメチルアクリル酸、α−アリルオキシメチルアクリル酸メチル、α−アリルオキシメチルアクリル酸エチル、α−アリルオキシメチルアクリル酸ｎ−プロピル、α−アリルオキシメチルアクリル酸ｉ−プロピル、α−アリルオキシメチルアクリル酸ｎ−ブチル、α−アリルオキシメチルアクリル酸ｓ−ブチル、α−アリルオキシメチルアクリル酸ｔ−ブチル、α−アリルオキシメチルアクリル酸ｎ−アミル、α−アリルオキシメチルアクリル酸ｓ−アミル、α−アリルオキシメチルアクリル酸ｔ−アミル、α−アリルオキシメチルアクリル酸ネオペンチル等が挙げられる。その他、アルキル−（α−メタリルオキシメチル）アクリレート系単量体等も好ましい。中でも、アルキル−（α−アリルオキシメチル）アクリレート系単量体が好適である。
なお、α−（不飽和アルコキシアルキル）アクリル酸（例えば、α−アリルオキシメチルアクリル酸）は、アクリル酸エステルではないものの、本明細書に記載の「α−（不飽和アルコキシアルキル）アクリレート系単量体」に包含されるものとする。
【００５２】
上記アルキル−（α−アリルオキシメチル）アクリレート系単量体としては、透明性や分散性、工業的入手の容易さ等の観点から、例えば、メチル−（α−アリルオキシメチル）アクリレート等が好適である。
【００５３】
上記α−（不飽和アルコキシアルキル）アクリレート系単量体は、例えば、国際公開第２０１０／１１４０７７号パンフレットに開示されている製造方法により製造することができる。
【００５４】
（ｖｉ）その他の単量体単位
上記（メタ）アクリレート系重合体はまた、例えば、現像性や溶媒溶解性等を調整するために、上述した単量体には該当しない（メタ）アクリル酸エステル系単量体に由来する構成単位（（メタ）アクリル酸エステル系単量体単位とも称す）、芳香族ビニル系単量体に由来する構成単位（芳香族ビニル系単量体単位とも称す）、及び／又は、その他共重合可能な単量体に由来する構成単位（その他共重合可能な単量体単位とも称す）を、１種又は２種以上含んでもよい。
【００５５】
上記（メタ）アクリル酸エステル系単量体としては、例えば、硬化物の表面硬度等を考慮すると、脂環骨格を有する単量体が好ましい。具体的には、例えば、シクロヘキシル（メタ）アクリレート、シクロヘキシルメチル（メタ）アクリレート、イソボルニル（メタ）アクリレート、１−アダマンチル（メタ）アクリレート、（３，４−エポキシシクロヘキシル）メチル（メタ）アクリレート、ジシクロペンテニル（メタ）アクリレート、ジシクロペンテニルオキシエチル（メタ）アクリレート、トリシクロデカニル（メタ）アクリレート、ジメチロール−トリシクロデカンジ（メタ）アクリレート、ペンタシクロペンタデカンジメタノールルジ（メタ）アクリレート、シクロヘキサンジメタノールジ（メタ）アクリレート、ノルボルナンジメタノールジ（メタ）アクリレート、ｐ−メンタンー１，８−ジオールジ（メタ）アクリレート、ｐ−メンタン−２，８−ジオールジ（メタ）アクリレート、ｐ−メンタン−３，８−ジオールジ（メタ）アクリレート、ビシクロ［２．２．２］−オクタン−１−メチル−４−イソプロピル−５，６−ジメチロールジ（メタ）アクリレート等が挙げられる。これらの中でも、汎用性、入手性等の観点から、シクロヘキシル（メタ）アクリレート、シクロヘキシルメチル（メタ）アクリレート、イソボルニル（メタ）アクリレート及び／又はトリシクロデカニル（メタ）アクリレートを用いることが好適である。また、グリシジル（メタ）アクリレート、メチルグリシジル（メタ）アクリレート又はエチルグリシジル（メタ）アクリレート等の脂環式エポキシ化合物を用いることも好適である。
【００５６】
上記（メタ）アクリル酸エステル系単量体はまた、例えば、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｓ−ブチル、（メタ）アクリル酸ｎ−アミル、（メタ）アクリル酸ｓ−アミル、（メタ）アクリル酸ｎ−ヘキシル、（メタ）アクリル酸２−エチルヘキシル、（メタ）アクリル酸イソデシル、（メタ）アクリル酸トリデシル、（メタ）アクリル酸オクチル、（メタ）アクリル酸イソオクチル、（メタ）アクリル酸ラウリル、（メタ）アクリル酸ステアリル、（メタ）アクリル酸ベンジル、（メタ）アクリル酸フェニル、（メタ）アクリル酸２−メトキシエチル、（メタ）アクリル酸２−エトキシエチル、（メタ）アクリル酸フェノキシエチル、（メタ）アクリル酸テトラヒドロフルフリル、（メタ）アクリル酸Ｎ，Ｎ−ジメチルアミノエチル、α−ヒドロキシメチルアクリル酸メチル、α−ヒドロキシメチルアクリル酸エチル、α−ヒドロキシメチルアクリル酸ｔ−ブチル、α−ヒドロキシメチルアクリル酸ｔ−アミル等の他、１，４−ジオキサスピロ［４，５］デカ−２−イルメタアクリル酸、（メタ）アクリロイルモルホリン、テトラヒドロフルフリルアクリレート、４−（メタ）アクリロイルオキシメチル−２−メチル−２−エチル−１，３−ジオキソラン、４−（メタ）アクリロイルオキシメチル−２−メチル−２−イソブチル−１，３−ジオキソラン、４−（メタ）アクリロイルオキシメチル−２−メチル−２−シクロヘキシル−１，３−ジオキソラン、４−（メタ）アクリロイルオキシメチル−２，２−ジメチル−１，３−ジオキソラン等も挙げられる。中でも、耐熱性や色材分散性、溶剤再溶解性のバランスを取り易い点で、（メタ）アクリル酸メチル、（メタ）アクリル酸エチル又は（メタ）アクリル酸ブチル等の（メタ）アクリル酸アルキル、及び、（メタ）アクリル酸ベンジルの（メタ）アクリル酸アラルキルが好適である。
【００５７】
上記芳香族ビニル系単量体としては、例えば、スチレン、ビニルトルエン、α−メチルスチレン、メトキシスチレン等が挙げられる。中でも、樹脂の耐熱着色性や耐熱分解性の点で、スチレン及び／又はビニルトルエンが好適である。
【００５８】
上記その他共重合可能な単量体としては特に限定されないが、例えば、Ｎ，Ｎ−ジメチル（メタ）アクリルアミド、Ｎ−メチロール（メタ）アクリルアミド等の（メタ）アクリルアミド類；ポリスチレン、ポリメチル（メタ）アクリレート、ポリエチレンオキシド、ポリプロピレンオキシド、ポリシロキサン、ポリカプロラクトン、ポリカプロラクタム等の重合体分子鎖の片末端に（メタ）アクリロイル基を有するマクロモノマー類；１，３−ブタジエン、イソプレン、クロロプレン等の共役ジエン類；酢酸ビニル、プロピオン酸ビニル、酪酸ビニル、安息香酸ビニル等のビニルエステル類；メチルビニルエーテル、エチルビニルエーテル、プロピルビニルエーテル、ブチルビニルエーテル、２−エチルヘキシルビニルエーテル、ｎ−ノニルビニルエーテル、ラウリルビニルエーテル、シクロヘキシルビニルエーテル、メトキシエチルビニルエーテル、エトキシエチルビニルエーテル、メトキシエトキシエチルビニルエーテル、メトキシポリエチレングリコールビニルエーテル、２−ヒドロキシエチルビニルエーテル、４−ヒドロキシブチルビニルエーテル等のビニルエーテル類；Ｎ−ビニルピロリドン、Ｎ−ビニルカプロラクタム、Ｎ−ビニルイミダゾール、Ｎ−ビニルモルフォリン、Ｎ−ビニルアセトアミド等のＮ−ビニル化合物類；（メタ）アクリル酸イソシアナトエチル、アリルイソシアネート等の不飽和イソシアネート類；等が挙げられる。
【００５９】
上記（メタ）アクリレート系重合体は、例えば、３級炭素含有（メタ）アクリレート系単量体と、水酸基を有する単量体と、活性メチレン基を有する単量体とを含む単量体成分を重合して得られる重合体であることが好ましい。上記単量体成分は、必要に応じて、更に、他の単量体を１種又は２種以上含んでもよい。上記単量体成分として好ましくは、上述したように、酸基を有する単量体（特に好ましくは（メタ）アクリル酸）、及び、主鎖に環構造を形成しうる単量体を更に含むことである。各単量体は、それぞれ１種又は２種以上であってもよい。
【００６０】
上記重合に供する単量体の配合割合（質量％）、すなわち全単量体成分の総量１００質量％に対する各単量体の含有割合は、上述した全単量体単位の総量１００質量％に対する各単量体単位の含有割合と同じ範囲に設定することが好適である。中でも特に、上記単量体成分は、３級炭素含有（メタ）アクリレート系単量体（ａ）と、水酸基を有する単量体（ｂ）と、活性メチレン基を有する単量体（ｃ）と、酸基を有する単量体（特に好ましくは（メタ）アクリル酸）（ｄ）と、主鎖に環構造を形成しうる単量体（ｅ）と、必要に応じてこれら以外の他の単量体（ｆ）（例えば、好ましくは他の（メタ）アクリル酸エステル系単量体）とを含むことが好ましく、これらの質量比（ａ／ｂ／ｃ／ｄ／ｅ／ｆ）を、１０〜４０／１０〜４０／３〜４０／２〜５０／５〜２０／０〜２０とすることが好ましい（但し、ａ〜ｆの合計を１００質量％とする）。より好ましくは、１０〜４０／１０〜４０／３〜４０／２〜５０／５〜２０／５〜２０である。
また、得られる（メタ）アクリレート系重合体の酸価が２０〜３００ｍｇＫＯＨ／ｇとなるように、重合条件を適宜設定することが好ましい。
【００６１】
上記単量体成分を重合する方法としては、バルク重合、溶液重合、乳化重合等の通常用いられる手法を用いることができ、目的、用途に応じて適宜選択すればよい。中でも、溶液重合が、工業的に有利で、分子量等の構造調整も容易であるため好適である。また、上記単量体成分の重合機構は、ラジカル重合、アニオン重合、カチオン重合、配位重合等の機構に基づいた重合方法を用いることができるが、ラジカル重合機構に基づく重合方法が、工業的にも有利であるため好ましい。
【００６２】
上記単量体成分を溶液重合法により重合する場合、重合に使用する溶媒としては、重合反応に不活性なものであれば特に限定されるものではない。例えば、重合機構、使用する単量体の種類や量、重合温度、重合濃度等の重合条件に応じて適宜設定すればよいが、後に硬化性樹脂組成物とした際に、希釈剤等として溶剤を用いる場合には、該溶剤を含む溶媒を、単量体成分の溶液重合に用いることが、効率的で好ましい。
【００６３】
上記溶媒としては、例えば、モノアルコール類；環状エーテル類；グリコールモノエーテル類；グリコールエーテル類；グリコールモノエーテルのエステル類；アルキルエステル類；ケトン類；芳香族炭化水素類；脂肪族炭化水素類；アミド類；等の１種又は２種以上が好ましい。これらの溶媒の具体例として、特開２０１５−４２６９７号公報の段落番号００４２に記載の化合物等が挙げられる。これらの中でも、得られる重合体の溶解性、塗膜を形成する際の表面平滑性、人体及び環境への影響の少なさ、並びに、工業的入手のし易さから、プロピレングリコールモノメチルエーテル、プロピレングリコールモノプロピルエーテル、プロピレングリコールモノメチルエーテルアセテート、ジエチレングリコールジメチルエーテル、ジエチレングリコールエチルメチルエーテル、及び／又は、乳酸エチルを用いることがより好適である。
【００６４】
上記溶媒の使用量としては、上記単量体成分１００質量部に対し、５０〜１０００質量部であることが好適である。より好ましくは１００〜５００質量部である。
【００６５】
上記重合反応における重合開始方法は、熱、電磁波（例えば赤外線、紫外線、Ｘ線等）、電子線等の活性エネルギー源から重合開始に必要なエネルギーを単量体成分に供給すればよい。また、重合開始剤を併用すれば、重合開始に必要なエネルギーを大きく下げることができ、また、反応制御が容易となるため好適である。
また上記単量体成分を重合して得られる重合体の分子量は、重合開始剤の量や種類、重合温度、連鎖移動剤の種類や量の調整等により制御することができる。
【００６６】
上記単量体成分をラジカル重合機構により重合する場合には、熱によりラジカルを発生する重合開始剤を使用することが、工業的に有利で好ましい。このような重合開始剤としては、熱エネルギーを供給することによりラジカルを発生するものであれば特に限定されるものではなく、重合温度や溶媒、重合させる単量体の種類等の重合条件に応じて、適宜選択すればよい。また、重合開始剤とともに、遷移金属塩やアミン類等の還元剤を併用してもよい。
【００６７】
上記重合開始剤としては、例えば、クメンハイドロパーオキサイド、ジイソプロピルベンゼンハイドロパーオキサイド、ジ−ｔ−ブチルパーオキサイド、ラウロイルパーオキサイド、ベンゾイルパーオキサイド、ｔ−ブチルパーオキシイソプロピルカーボネート、ｔ−ブチルパーオキシ−２−エチルヘキサノエート、アゾビスイソブチロニトリル、１，１’−アゾビス（シクロヘキサンカルボニトリル）、２，２’−アゾビス（２，４−ジメチルバレロニトリル）、ジメチル２，２’−アゾビス（２−メチルプロピオネート）、過酸化水素、過硫酸塩等の通常重合開始剤として使用される過酸化物やアゾ化合物等が挙げられ、これらは単独で用いても、２種以上を併用してもよい。
【００６８】
上記重合開始剤の使用量は、使用する単量体の種類や量、重合温度、重合濃度等の重合条件、目標とする重合体の分子量等に応じて適宜設定すればよく、特に限定されるものではない。例えば、重量平均分子量が数千〜数万の重合体を得るには、上記単量体成分１００質量部に対して、０．１〜２０質量部とすることが好適である。より好ましくは０．５〜１５質量部である。
【００６９】
上記重合ではまた、必要に応じて、通常使用される連鎖移動剤を使用してもよい。好ましくは、重合開始剤と連鎖移動剤とを併用することである。なお、重合時に連鎖移動剤を使用すると、分子量分布の増大やゲル化を抑制できる傾向にある。
【００７０】
上記連鎖移動剤としては、例えば、メルカプトカルボン酸類；メルカプトカルボン酸エステル類；アルキルメルカプタン類；メルカプトアルコール類；芳香族メルカプタン類；メルカプトイソシアヌレート類；ジスルフィド類；ジチオカルバメート類；単量体ダイマー類；ハロゲン化アルキル類；等の１種又は２種以上が好ましい。これらの連鎖移動剤の具体例として、特開２０１５−４２６９７号公報の段落番号００４９に記載の化合物等が挙げられる。これらの中でも、入手性、架橋防止能、重合速度低下の度合いが小さい等の点で、メルカプトカルボン酸類、メルカプトカルボン酸エステル類、アルキルメルカプタン類、メルカプトアルコール類、芳香族メルカプタン類、メルカプトイソシアヌレート類等のメルカプト基を有する化合物を用いることが好適である。より好ましくは、アルキルメルカプタン類、メルカプトカルボン酸類、及び／又は、メルカプトカルボン酸エステル類であり、更に好ましくは、ｎ−ドデシルメルカプタン、及び／又は、メルカプトプロピオン酸である。
【００７１】
上記連鎖移動剤の使用量は、使用する単量体の種類や量、重合温度、重合濃度等の重合条件、目標とする重合体の分子量等に応じて適宜設定すればよく、特に限定されない。例えば、重量平均分子量が数千〜数万の重合体を得るには、上記単量体成分１００質量部に対し、０．１〜２０質量部とすることが好適である。より好ましくは０．５〜１５質量部である。
【００７２】
上記重合の条件に関し、重合温度としては、使用する単量体の種類や量、重合開始剤の種類や量等に応じて適宜設定すればよいが、例えば、５０〜１５０℃が好ましく、７０〜１２０℃がより好ましい。また、重合時間も同様に適宜設定することができるが、例えば、１〜６時間が好ましく、２〜５時間がより好ましい。
【００７３】
上記（メタ）アクリレート系重合体のポリスチレン換算の重量平均分子量は、好ましくは５０００〜１０万である。重量平均分子量がこの範囲にあると、（メタ）アクリレート系重合体を含む硬化性樹脂組成物を塗布する際の塗布性が良好となる傾向があり、また、現像時に膜減りが生じにくいため、好ましい。より好ましくは５０００（＝０．５万）〜５万である。これにより、より良好な現像性を発揮することが可能になる他、耐溶剤性が向上するとともに、現像速度もより高められる。更に好ましくは１万〜４万、特に好ましくは１．５万〜３万である。
【００７４】
上記（メタ）アクリレート系重合体の分子量分布［重量平均分子量（Ｍｗ）／数平均分子量（Ｍｎ）］は、好ましくは１．１〜６．０である。分子量分布がこの範囲にあると、現像性に優れる傾向があるので好ましい。より好ましくは１．２〜４．０である。
【００７５】
本明細書中、重合体の重量平均分子量及び数平均分子量は、後述する実施例に記載の測定方法に従って求めることができる。
【００７６】
上記硬化性樹脂組成物において、（メタ）アクリレート系重合体の含有割合は、用途や他成分の配合等に応じて適宜設定すればよいが、例えば、（メタ）アクリレート系重合体の固形分含量が、硬化性樹脂組成物の固形分総量１００質量％に対し、５質量％以上であることが好ましい。また、８０質量％以下であることが好適である。このような範囲にあることで、本発明の効果をより顕著に奏することが可能となる。より好ましくは７〜７０質量％、更に好ましくは１０〜６０質量％である。
なお、「硬化性樹脂組成物の固形分総量」とは、硬化性樹脂組成物の含有成分のうち、硬化物を形成する成分（硬化物の形成時に揮発する溶媒等を除く）の総量を意味する。
【００７７】
本発明ではまた、本発明の効果を損なわない範囲であれば、通常この分野で用いられる、アクリル系の重合体を併用してもよい。
【００７８】
＜重合性化合物＞
上記硬化性樹脂組成物はまた、重合性化合物を含む。
重合性化合物とは、重合性単量体とも称し、フリーラジカル、電磁波（例えば赤外線、紫外線、Ｘ線等）、電子線等の活性エネルギー線の照射等により重合し得る、重合性不飽和結合（重合性不飽和基とも称す）を有する低分子化合物である。例えば、重合性不飽和基を分子中に１つ有する単官能の化合物と、２個以上有する多官能の化合物が挙げられる。
【００７９】
上記単官能の重合性単量体としては、例えば、上記（メタ）アクリレート系重合体の単量体成分に好ましく含有される他の単量体として例示した化合物のうち、Ｎ置換マレイミド系単量体又は（メタ）アクリル酸エステル類；（メタ）アクリルアミド類；不飽和モノカルボン酸類；不飽和多価カルボン酸類；不飽和基とカルボキシル基の間が鎖延長されている不飽和モノカルボン酸類；不飽和酸無水物類；芳香族ビニル類；共役ジエン類；ビニルエステル類；ビニルエーテル類；Ｎ−ビニル化合物類；不飽和イソシアネート類；等が挙げられる。また、活性メチレン基や活性メチン基を有する単量体等を用いることもできる。
【００８０】
上記多官能の重合性単量体としては、例えば、下記の化合物等が挙げられる。
エチレングリコールジ（メタ）アクリレート、ジエチレングリコールジ（メタ）アクリレート、ポリエチレングリコールジ（メタ）アクリレート、プロピレングリコールジ（メタ）アクリレート、ブチレングリコールジ（メタ）アクリレート、ヘキサンジオールジ（メタ）アクリレート、シクロヘキサンジメタノールジ（メタ）アクリレート、ビスフェノールＡアルキレンオキシドジ（メタ）アクリレート、ビスフェノールＦアルキレンオキシドジ（メタ）アクリレート等の２官能（メタ）アクリレート化合物；
【００８１】
トリメチロールプロパントリ（メタ）アクリレート、ジトリメチロールプロパンテトラ（メタ）アクリレート、グリセリントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールヘプタ（メタ）アクリレート、トリペンタエリスリトールオクタ（メタ）アクリレート、エチレンオキシド付加トリメチロールプロパントリ（メタ）アクリレート、エチレンオキシド付加ジトリメチロールプロパンテトラ（メタ）アクリレート、エチレンオキシド付加ペンタエリスリトールテトラ（メタ）アクリレート、エチレンオキシド付加ジペンタエリスリトールヘキサ（メタ）アクリレート、プロピレンオキシド付加トリメチロールプロパントリ（メタ）アクリレート、プロピレンオキシド付加ジトリメチロールプロパンテトラ（メタ）アクリレート、プロピレンオキシド付加ペンタエリスリトールテトラ（メタ）アクリレート、プロピレンオキシド付加ジペンタエリスリトールヘキサ（メタ）アクリレート、ε−カプロラクトン付加トリメチロールプロパントリ（メタ）アクリレート、ε−カプロラクトン付加ジトリメチロールプロパンテトラ（メタ）アクリレート、ε−カプロラクトン付加ペンタエリスリトールテトラ（メタ）アクリレート、ε−カプロラクトン付加ジペンタエリスリトールヘキサ（メタ）アクリレート等の３官能以上の多官能（メタ）アクリレート化合物；
【００８２】
エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールＡアルキレンオキシドジビニルエーテル、ビスフェノールＦアルキレンオキシドジビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、エチレンオキシド付加トリメチロールプロパントリビニルエーテル、エチレンオキシド付加ジトリメチロールプロパンテトラビニルエーテル、エチレンオキシド付加ペンタエリスリトールテトラビニルエーテル、エチレンオキシド付加ジペンタエリスリトールヘキサビニルエーテル等の多官能ビニルエーテル類；
【００８３】
（メタ）アクリル酸２−ビニロキシエチル、（メタ）アクリル酸３−ビニロキシプロピル、（メタ）アクリル酸１−メチル−２−ビニロキシエチル、（メタ）アクリル酸２−ビニロキシプロピル、（メタ）アクリル酸４−ビニロキシブチル、（メタ）アクリル酸４−ビニロキシシクロヘキシル、（メタ）アクリル酸５−ビニロキシペンチル、（メタ）アクリル酸６−ビニロキシヘキシル、（メタ）アクリル酸４−ビニロキシメチルシクロヘキシルメチル、（メタ）アクリル酸ｐ−ビニロキシメチルフェニルメチル、（メタ）アクリル酸２−（ビニロキシエトキシ）エチル、（メタ）アクリル酸２−（ビニロキシエトキシエトキシエトキシ）エチル等のビニルエーテル基含有（メタ）アクリル酸エステル類；
【００８４】
エチレングリコールジアリルエーテル、ジエチレングリコールジアリルエーテル、ポリエチレングリコールジアリルエーテル、プロピレングリコールジアリルエーテル、ブチレングリコールジアリルエーテル、ヘキサンジオールジアリルエーテル、ビスフェノールＡアルキレンオキシドジアリルエーテル、ビスフェノールＦアルキレンオキシドジアリルエーテル、トリメチロールプロパントリアリルエーテル、ジトリメチロールプロパンテトラアリルエーテル、グリセリントリアリルエーテル、ペンタエリスリトールテトラアリルエーテル、ジペンタエリスリトールペンタアリルエーテル、ジペンタエリスリトールヘキサアリルエーテル、エチレンオキシド付加トリメチロールプロパントリアリルエーテル、エチレンオキシド付加ジトリメチロールプロパンテトラアリルエーテル、エチレンオキシド付加ペンタエリスリトールテトラアリルエーテル、エチレンオキシド付加ジペンタエリスリトールヘキサアリルエーテル等の多官能アリルエーテル類；
【００８５】
（メタ）アクリル酸アリル等のアリル基含有（メタ）アクリル酸エステル類；
トリ（アクリロイルオキシエチル）イソシアヌレート、トリ（メタクリロイルオキシエチル）イソシアヌレート、アルキレンオキシド付加トリ（アクリロイルオキシエチル）イソシアヌレート、アルキレンオキシド付加トリ（メタクリロイルオキシエチル）イソシアヌレート等の多官能（メタ）アクリロイル基含有イソシアヌレート類；
トリアリルイソシアヌレート等の多官能アリル基含有イソシアヌレート類；
トリレンジイソシアネート、イソホロンジイソシアネート、キシリレンジイソシアネート等の多官能イソシアネートと（メタ）アクリル酸２−ヒドロキシエチル、（メタ）アクリル酸２−ヒドロキシプロピル等の水酸基含有（メタ）アクリル酸エステル類との反応で得られる多官能ウレタン（メタ）アクリレート類；
ジビニルベンゼン等の多官能芳香族ビニル類；等。
【００８６】
上記重合性化合物の中でも、本発明の硬化性樹脂組成物の硬化性をより高める観点から、多官能の重合性化合物を用いることが好適である。重合性化合物として多官能の重合性化合物を用いる場合、その官能数として好ましくは３以上であり、より好ましくは４以上、更に好ましくは５以上である。また、硬化収縮をより抑制する観点から、官能数は１０以下が好ましく、より好ましくは８以下である。
また上記重合性化合物の分子量としては特に限定されないが、取り扱いの観点から、例えば、２０００以下が好適である。
【００８７】
上記重合性化合物として多官能の重合性化合物を用いる場合、当該重合性化合物の中でも、反応性、経済性、入手性等の観点から、多官能（メタ）アクリレート化合物、多官能ウレタン（メタ）アクリレート化合物、（メタ）アクリロイル基含有イソシアヌレート化合物等の、（メタ）アクリロイル基を有する化合物を用いることが好適である。より好ましくは多官能（メタ）アクリレート化合物であり、これによって硬化性樹脂組成物が感光性及び硬化性により優れたものとなり、より一層高硬度で高透明性の硬化物を得ることが可能になる。更に好ましくは、３官能以上の多官能（メタ）アクリレート化合物を用いることである。
【００８８】
上記重合性化合物の含有割合としては、用いる重合性化合物や上記（メタ）アクリレート系重合体の種類の他、目的や用途等に応じて適宜設定すればよいが、現像性や製版性により優れる観点から、硬化性樹脂組成物の固形分総量１００質量％に対し、２質量％以上であることが好ましく、また、８０質量％以下であることが好適である。下限値としてより好ましくは５質量％以上、更に好ましくは８質量％以上、特に好ましくは１０質量％以上であり、上限値としてより好ましくは７０質量％以下、更に好ましくは５０質量％以下、特に好ましくは３０質量％以下、最も好ましくは２０質量％以下である。
【００８９】
＜光重合開始剤＞
上記硬化性樹脂組成物は更に、光重合開始剤を含む。
光重合開始剤として好ましくは、ラジカル重合性の光重合開始剤である。
ラジカル重合性の光重合開始剤とは、電磁波や電子線等の活性エネルギー線の照射により重合開始ラジカルを発生させるものであり、通常使用されるものを１種又は２種以上使用することができる。また、必要に応じて、光増感剤や光ラジカル重合促進剤等を１種又は２種以上併用してもよい。光重合開始剤とともに、光増感剤及び／又は光ラジカル重合促進剤を使用してもよいし、使用しなくてもよい。光増感剤及び／又は光ラジカル重合促進剤を併用しなくても本願発明の効果は充分に発揮されるが、併用した場合は感度や硬化性がより向上される。
【００９０】
上記光重合開始剤として具体的には、例えば、下記の化合物等が挙げられる。
２，２−ジエトキシアセトフェノン、２，２−ジメトキシ−２−フェニルアセトフェノン、１−ヒドロキシシクロヘキシルフェニルケトン、２−ヒドロキシ−２−メチル−１−フェニルプロパン−１−オン、１−〔４−（２−ヒドロキシエトキシ）フェニル〕−２−ヒドロキシ−２−メチル−１−プロパン−１−オン、２−ヒドロキシ−１−｛４−〔４−（２−ヒドロキシ−２−メチルプロピオニル）ベンジル〕フェニル｝−２−メチルプロパン−１−オン、２−メチル−１−（４−メチルチオフェニル）−２−モルフォリノプロパン１−オン、２−ベンジル−２−ジメチルアミノ−１−（４−モルフォリノフェニル）−ブタノン−１、２−（ジメチルアミノ）−２−〔（４−メチルフェニル）メチル〕−１−〔４−（４−モルホリニル）フェニル〕−１−ブタノン等のアルキルフェノン系化合物；ベンゾフェノン、４，４’−ビス（ジメチルアミノ）ベンゾフェノン、２−カルボキシベンゾフェノン等のベンゾフェノン系化合物；ベンゾインメチルエーテル、ベンゾインエチルエーテル、ベンゾインイソプロピルエーテル、ベンゾインイソブチルエーテル等のベンゾイン系化合物；チオキサントン、２−エチルチオキサントン、２−イソプロピルチオキサントン、２−クロロチオキサントン、２，４−ジメチルチオキサントン、２，４−ジエチルチオキサントン等のチオキサントン系化合物；
【００９１】
２−（４−メトキシフェニル）−４，６−ビス（トリクロロメチル）−ｓ−トリアジン、２−（４−メトキシナフチル）−４，６−ビス（トリクロロメチル）−ｓ−トリアジン、２−（４−エトキシナフチル）−４，６−ビス（トリクロロメチル）−ｓ−トリアジン、２−（４−エトキシカルボキニルナフチル）−４，６−ビス（トリクロロメチル）−ｓ−トリアジン等のハロメチル化トリアジン系化合物；２−トリクロロメチル−５−（２’−ベンゾフリル）−１，３，４−オキサジアゾール、２−トリクロロメチル−５−〔β−（２’−ベンゾフリル）ビニル〕−１，３，４−オキサジアゾール、４−オキサジアゾール、２−トリクロロメチル−５−フリル−１，３，４−オキサジアゾール等のハロメチル化オキサジアゾール系化合物；２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール等のビイミダゾール系化合物；１，２−オクタンジオン，１−〔４−（フェニルチオ）−，２−（Ｏ−ベンゾイルオキシム）〕、エタノン，１−〔９−エチル−６−（２−メチルベンゾイル）−９Ｈ−カルバゾール−３−イル〕−，１−（Ｏ−アセチルオキシム）等のオキシムエステル系化合物；オキシムエーテル系化合物；ビス（η５−２，４−シクロペンタジエン−１−イル）−ビス（２，６−ジフルオロ−３−（１Ｈ−ピロール−１−イル）−フェニル）チタニウム等のチタノセン系化合物；ｐ−ジメチルアミノ安息香酸、ｐ−ジエチルアミノ安息香酸等の安息香酸エステル系化合物；９−フェニルアクリジン等のアクリジン系化合物；等。
【００９２】
上記光重合開始剤の中でも、アルキルフェノン系化合物、オキシムエステル系化合物、及び／又は、オキシムエーテル系化合物を用いることが好適である。オキシムエステル系化合物及びオキシムエーテル系化合物を「オキシム系化合物」と総称するが、オキシム系化合物を用いた場合には、硬化性樹脂組成物の硬化性が著しく向上し、得られる硬化物の耐溶剤性が飛躍的に向上する。このような、オキシム系化合物を使用することによる効果は、活性メチレン基を有する単量体単位を有する（メタ）アクリレート系重合体と併用する場合に特有の効果である。このように上記光重合開始剤が少なくともオキシム系化合物を含む形態は、本発明の好適な形態の１つである。オキシム系化合物の中でも、オキシムエステル系化合物が特に好適である。
【００９３】
上記光重合開始剤の含有量は、目的、用途等に応じて適宜設定すればよく、特に限定されないが、光重合開始剤を除く硬化性樹脂組成物の固形分総量１００質量部に対し、０．１質量部以上であることが好適である。これにより、密着性により優れた硬化物を得ることができ、高温暴露後においても剥がれがより充分に抑制される。また、光重合開始剤の分解物が与える影響や経済性等とのバランスを考慮すると、３０質量部以下であることが好ましい。下限値としてより好ましくは０．５質量部以上、更に好ましくは１質量部以上、特に好ましくは２質量部以上であり、上限値としてより好ましくは２５質量部以下、更に好ましくは２０質量部以下である。
【００９４】
上記光重合開始剤と併用してもよい光増感剤や光ラジカル重合促進剤としては、例えば、キサンテン色素、クマリン色素、３−ケトクマリン系化合物、ピロメテン色素等の色素系化合物；４−ジメチルアミノ安息香酸エチル、４−ジメチルアミノ安息香酸２−エチルヘキシル等のジアルキルアミノベンゼン系化合物；２−メルカプトベンゾチアゾール、２−メルカプトベンゾオキサゾール、２−メルカプトベンゾイミダゾール等のメルカプタン系水素供与体；等が挙げられる。
【００９５】
上記光増感剤及び光ラジカル重合促進剤は、上述したように使用しなくてもよいが、使用する場合は、硬化性、分解物が与える影響及び経済性のバランスの観点から、硬化性樹脂組成物の固形分総量１００質量％に対し、０．００１〜２０質量％であることが好ましい。より好ましくは０．０１〜１５質量％、更に好ましくは０．０５〜１０質量％である。
【００９６】
＜他の成分＞
−溶剤−
上記硬化性樹脂組成物はまた、溶剤を含むことが好適である。溶剤は、希釈剤等として好ましく使用される。すなわち具体的には、粘度を下げ取扱い性を向上する；乾燥により塗膜を形成する；色材の分散媒とする；等のために好適に使用され、硬化性樹脂組成物中の各含有成分を溶解又は分散することができる、低粘度の有機溶媒又は水である。
【００９７】
上記溶剤としては、通常使用するものを１種又は２種使用することができ、目的、用途に応じて適宜選択すればよく特に限定されない。例えば、モノアルコール類；グリコール類；環状エーテル類；グリコールモノエーテル類；グリコールエーテル類；グリコールモノエーテルのエステル類；アルキルエステル類；ケトン類；芳香族炭化水素類；脂肪族炭化水素類；アミド類；水；等が好ましい。これらの溶媒の具体例として、特開２０１５−４２６９７号公報の段落番号００４２に記載の化合物等が挙げられる。例えば、グリコールモノエーテルのエステル類としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート、ジプロピレングリコールモノエチルエーテルアセテート、ジプロピレングリコールモノブチルエーテルアセテート、３−メトキシブチルアセテート等が挙げられる。
【００９８】
上記溶剤の使用量としては、目的、用途に応じて適宜設定すればよく、特に限定されないが、本発明の硬化性樹脂組成物の総量１００質量％中に、１０〜９０質量％含まれるようにすることが好ましい。より好ましくは２０〜８０質量％である。
【００９９】
上記硬化性樹脂組成物は更に、それが適用される各用途の要求特性に応じて、例えば、色材（着色剤とも称す）；分散剤；耐熱向上剤；レベリング剤；現像助剤；シリカ微粒子等の無機微粒子；シラン系、アルミニウム系、チタン系等のカップリング剤；フィラー、エポキシ樹脂、フェノール樹脂、ポリビニルフェノール等の熱硬化性樹脂；多官能チオール化合物等の硬化助剤；可塑剤；重合禁止剤；紫外線吸収剤；酸化防止剤；艶消し剤；消泡剤；帯電防止剤；スリップ剤；表面改質剤；揺変化剤；揺変助剤；キノンジアジド化合物；多価フェノール化合物；カチオン重合性化合物；酸発生剤；等の１種又は２種以上を、更に含んでいてもよい。例えば、上記硬化性樹脂組成物をカラーフィルター用途に使用する場合には、色材を含むことが好ましい。このように上記硬化性樹脂組成物が更に色材を含む形態もまた、本発明の好適な形態の１つである。また、色材、分散剤、耐熱向上剤、レベリング剤、カップリング剤及び現像助剤からなる群より選択される少なくとも１種を含む形態も好適である。以下、これらの含有成分について説明する。
【０１００】
−色材−
上記色材としては、例えば、顔料や染料が好適に使用される。これらは、単独で使用してもよいし、２種以上を組み合わせて使用してもよい。また、顔料と染料とを組み合わせてもよい。例えば、カラーフィルターの赤色、青色、緑色画素を形成する場合、青と紫、緑と黄等、色材を組み合わせて求める色特性を発揮させる手法が好適に使用される。また、ブラックマトリックスを形成する場合にも黒の色材を用いて形成することができる。
上記顔料及び染料の中でも、例えば耐久性の点では、顔料（例えば有機顔料又は無機顔料）が優れ、また、例えばパネル等の輝度向上の点では染料が優れることから、求められる特性に応じて適宜これらを選択又は併用すればよい。なお、顔料の中でもより好ましくは有機顔料である。
【０１０１】
上記顔料としては、例えば、アゾ系顔料、フタロシアニン系顔料、多環式顔料（例えばキナクリドン系、ペリレン系、ペリノン系、イソインドリノン系、イソインドリン系、ジオキサジン系、チオインジゴ系、アントラキノン系、キノフタロン系、金属錯体系、ジケトピロロピロール系等）、染料レーキ系顔料等の有機顔料；白色・体質顔料（例えば酸化チタン、酸化亜鉛、硫化亜鉛、クレー、タルク、硫酸バリウム、炭酸カルシウム等）、有彩顔料（例えば黄鉛、カドミニウム系、クロムバーミリオン、ニッケルチタン、クロムチタン、黄色酸化鉄、ベンガラ、ジンククロメート、鉛丹、群青、紺青、コバルトブルー、クロムグリーン、酸化クロム、バナジン酸ビスマス等）、黒色顔料（例えばカーボンブラック、ボーンブラック、グラファイト、鉄黒、チタンブラック等）、光輝材顔料（例えばパール顔料、アルミ顔料、ブロンズ顔料等）、蛍光顔料（例えば硫化亜鉛、硫化ストロンチウム、アルミン酸ストロンチウム等）等の無機顔料が挙げられる。また、使用できる顔料の色としては、黄色、赤色、紫色、青色、緑色、褐色、黒色、白色等が挙げられる。
【０１０２】
上記顔料はまた、目的や用途に応じて、ロジン処理、界面活性剤処理、樹脂系分散剤処理、顔料誘導体処理、酸化皮膜処理、シリカコーティング、ワックスコーティング等の表面処理がなされていてもよい。
【０１０３】
上記顔料の具体例としては、例えば、特開２０１５−４２６９７号公報の段落番号０１０３〜０１０７に記載された、Ｃ．Ｉ．ピグメントイエロー１、１３８等の黄色顔料；Ｃ．Ｉ．ピグメントオレンジ１等の橙色顔料；Ｃ．Ｉ．ピグメントバイオレット１等の紫色顔料；Ｃ．Ｉ．ピグメントレッド１等の赤色顔料；Ｃ．Ｉ．ピグメントブルー１等の青色顔料；Ｃ．Ｉ．ピグメントグリーン１、５８等の緑色顔料；Ｃ．Ｉ．ピグメントブラウン５等の褐色顔料；アニリンブラック、カーボンブラック、ランプブラック、ボーンブラック、黒鉄、チタンブラック、Ｃ．Ｉ．ピグメントブラック１等の黒色顔料；Ｃ．Ｉ．ピグメントホワイト１等の白色顔料；等が挙げられる。但し、本発明の色材はこれらのみに限定されるものではない。また、顔料は単独で使用してもよいし、２種類以上を組み合わせて使用してもよい。「Ｃ．Ｉ．」はカラーインデックス（Ｃ．Ｉ．；The Society of Dyers and Colourists発行）を意味し、数字はカラーインデックスナンバーを意味する。
【０１０４】
上記染料としては、例えば、特開２０１０−９０３３号公報、特開２０１０−２１１１９８号公報、特開２００９−５１８９６号公報、特開２００８−５０５９９号公報に記載されている有機染料を使用することができる。中でも、アゾ系染料、アントラキノン系染料、フタロシアニン系染料、キノンイミン系染料、キノリン系染料、ニトロ系染料、カルボニル系染料、メチン系染料等が好ましい。
【０１０５】
上記色材の含有割合（すなわち顔料及び染料の合計割合）は、目的、用途に応じて、適宜設定することができるが、当該色材の含有割合の好ましい範囲は、硬化性樹脂組成物の固形分総量１００質量％に対し、３〜７０質量％である。より好ましくは５〜６０質量％、更に好ましくは１０〜５０質量％である。
【０１０６】
−分散剤−
上記分散剤とは、色材への相互作用部位と分散媒（例えば溶剤やバインダー樹脂）への相互作用部位とを有し、色材の分散媒への分散を安定化する働きを持つものであり、一般的には、樹脂型分散剤（例えば高分子分散剤）、界面活性剤（例えば低分子分散剤）、色素誘導体に分類される。本発明の硬化性樹脂組成物は、色材とともに分散剤を含むことが好適である。なお、分散剤（すなわち、樹脂型分散剤、界面活性剤及び／又は色素誘導体）としては、通常使用される分散剤を使用することができる。また、分散剤として、１種のものを単独で使用してもよいし、２種以上を組み合わせて用いてもよい。
【０１０７】
上記樹脂型分散剤としては、例えば、ポリウレタン、ポリアクリレート等のポリカルボン酸エステル、不飽和ポリアミド、ポリカルボン酸、ポリカルボン酸アミン塩、ポリカルボン酸アンモニウム塩、ポリカルボン酸アルキルアミン塩、ポリシロキサン、長鎖ポリアミノアマイドリン酸塩、水素基含有ポリカルボン酸エステル、ポリ（低級アルキレンイミン）と遊離のカルボキシル基を有するポリエステルとの反応により形成されたアミドやその塩、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドン、ポリエステル系、変性ポリアクリレート、エチレンオキサイド／ポリプロピレンオキサイド付加物等が挙げられる。
【０１０８】
また上記樹脂型分散剤の構造としては、主鎖が色材への相互作用部位を有するアンカー鎖で、グラフト鎖が分散媒への相互作用性を有する相溶性鎖であるようなグラフト構造の樹脂や、アンカー鎖と相溶性鎖がブロック構造になっている樹脂が、特に好ましく用いられる。
【０１０９】
上記樹脂型分散剤として具体的には、例えば、特開２０１５−４２６９７号公報の段落番号０１１２に記載の商品等が挙げられる。ただし、これらに限定されるものではない。
【０１１０】
上記界面活性剤としては、例えば、ポリオキシエチレンアルキルエーテル硫酸塩、ドデシルベンゼンスルホン酸ナトリウム、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸ナトリウム、ラウリル硫酸ナトリウム等のアニオン性界面活性剤；ポリオキシエチレンオレイルエーテル、ポリオキシエチレンラウリルエーテル、ポリオキシエチレンノニルフェニルエーテル、ポリオキシエチレンソルビタンモノステアレート、ポリエチレングリコールモノラウレート等のノニオン性界面活性剤；アルキル４級アンモニウム塩やそれらのエチレンオキサイド付加物等のカチオン性界面活性剤；アルキルジメチルアミノ酢酸ベタイン等のアルキルベタイン、アルキルイミダゾリン等の両性界面活性剤；等が挙げられる。
【０１１１】
上記色素誘導体とは、官能基を色素に導入した構造の化合物であり、官能基としては、例えば、スルホン酸基、スルホンアミド基及びその４級塩、ジアルキルアミノ基、水酸基、カルボキシル基、アミド基、フタルイミド基等が挙げられる。母体となる色素の構造としては、例えば、アゾ系、アントラキノン系、キノフタロン系、フタロシアニン系、キナクリドン系、ベンズイミダゾロン系、イソインドリン系、ジオキサジン系、インダンスレン系、ペリレン系、ジケトピロロピロール系等が挙げられる。
【０１１２】
上記分散剤（すなわち、樹脂型分散剤、界面活性剤及び／又は色素誘導体）の含有割合は、目的や用途に応じて適宜設定すればよいが、分散安定性、耐久性（耐熱性、耐光性、耐候性等）及び透明性のバランスの観点から、例えば、硬化性樹脂組成物の固形分総量１００質量％に対し、０．０１〜６０質量％であることが好ましい。より好ましくは０．１〜５０質量％、更に好ましくは０．３〜４０質量％である。
【０１１３】
−耐熱向上剤−
上記耐熱向上剤は、耐熱性や強度の向上のために好ましく使用される。耐熱向上剤としては、例えば、Ｎ−（アルコキシメチル）メラミン化合物、２個以上のエポキシ基やオキセタニル基を有する化合物等が好適である。特に、上記硬化性樹脂組成物を、フォトスペーサー用レジスト、保護膜用透明レジストや層間絶縁膜用レジストとして使用する場合には、これらの使用が好ましい。
【０１１４】
−レベリング剤−
上記レベリング剤は、レベリング性向上のために好ましく使用される。レベリング剤としては、フッ素系、シリコン系の界面活性剤が好ましい。
【０１１５】
−カップリング剤−
上記カップリング剤は、密着性向上のために好ましく使用される。カップリング剤としては、シラン系のカップリング剤が好ましく、例えば、エポキシ系、メタクリル系、アミノ系のシランカップリング剤が挙げられる。中でも、エポキシ系のシランカップリング剤が好ましい。
【０１１６】
−現像助剤−
上記現像助剤は、現像性向上のために好ましく使用される。現像助剤としては、例えば、（メタ）アクリル酸、酢酸、プロピオン酸等のモノカルボン酸類；マレイン酸、フマル酸、コハク酸、テトラヒドロフタル酸、トリメリット酸等の多価カルボン酸類；無水マレイン酸、無水コハク酸、テトラヒドロフタル酸無水物、トリメリット酸無水物等のカルボン酸無水物類；等が好適である。
【０１１７】
上記硬化性樹脂組成物の製造方法としては特に限定されず、例えば、上述した含有成分を、各種の混合機や分散機を用いて混合分散することによって調製することができる。混合・分散工程は特に限定されず、通常の手法により行えばよい。また、通常行われる他の工程を更に含むものであってもよい。なお、上記硬化性樹脂組成物が色材を含む場合は、色材の分散処理工程を経て製造することが好適である。
【０１１８】
上記色材の分散処理工程としては、例えば、まず、色材（好ましくは有機顔料）、分散剤及び溶剤を各所定量秤量し、ペイントコンディショナー、ビーズミル、ロールミル、ボールミル、ジェットミル、ホモジナイザー、ニーダー、ブレンダー等の分散機を用い、色材を微粒子分散させて液状の色材分散液（ミルベースとも称す）とする手法が挙げられる。好ましくは、ロールミル、ニーダー、ブレンダー等で混練分散処理をしてから、０．０１〜１ｍｍのビーズを充填したビーズミル等のメディアミルで微分散処理をする。得られたミルベースに、別途攪拌混合しておいた、（メタ）アクリレート系重合体、重合性化合物（重合性単量体）、及び、光重合開始剤、並びに、必要に応じて溶剤やレベリング剤等を含む組成物（好ましくは透明液）を加えて混合、均一な分散溶液とし、硬化性樹脂組成物を得ることができる。
なお、得られた硬化性樹脂組成物は、フィルター等によって、濾過処理をして微細なゴミを除去するのが好ましい。
【０１１９】
〔硬化物〕
本発明の硬化性樹脂組成物は、感光性や硬化性に特に優れ、現像性、耐溶剤性、基板との密着性、耐熱性及び透明性等の基本性能に優れる硬化物を与えるものである。このような硬化物はまた、画像形成性及び表面平滑性にも優れ、例えば、現像後に未露光部の残渣や地汚れ等がないものである。このような上記硬化性樹脂組成物を硬化してなる硬化物は、本発明の１つである。
【０１２０】
上記硬化物（硬化膜）は、その膜厚（厚み）が０．１〜２０μｍであることが好適である。これにより、上記硬化物を用いた部材等や表示装置等の低背化要求に充分に応えることができる。より好ましくは０．５〜１０μｍ、更に好ましくは０．５〜８μｍである。
【０１２１】
上記硬化物は、例えば、液晶表示装置や固体撮像素子等に用いられるカラーフィルター、インキ、印刷版、プリント配線板、半導体素子、フォトレジスト等の、各種の光学部材や電機・電子機器等の用途に好ましく使用される。中でも、カラーフィルターに用いることが好ましい。このように上記硬化性樹脂組成物を用いてなるカラーフィルター、すなわち具体的には、基板上に上記硬化物を有するカラーフィルターもまた、本発明の１つである。以下、カラーフィルターについて、更に説明する。
【０１２２】
〔カラーフィルター〕
本発明のカラーフィルターは、基板上に、上記硬化物を有する形態からなる。
上記カラーフィルターにおいて、本発明の硬化性樹脂組成物により形成される硬化物は、例えば、ブラックマトリクスや、赤色、緑色、青色、黄色等の各画素のような着色が必要なセグメントとして特に好適であるが、フォトスペーサー、保護層、配向制御用リブ等の着色が必ずしも必要としないセグメントとしても好適である。
【０１２３】
上記カラーフィルターに使用される基板としては、例えば、白板ガラス、青板ガラス、アルカリ強化ガラス、シリカコート青板ガラス等のガラス基板；ポリエステル、ポリカーボネート、ポリオレフィン、ポリスルホン、環状オレフィンの開環重合体やその水素添加物等の熱可塑性樹脂からなるシート、フィルム又は基板；エポキシ樹脂、不飽和ポリエステル樹脂等の熱硬化性樹脂からなるシート、フィルム又は基板；アルミニウム板、銅板、ニッケル板、ステンレス板等の金属基板；セラミック基板；光電変換素子を有する半導体基板；表面に色材層を備えるガラス基板（例えばＬＣＤ用カラーフィルタ）等の各種材料から構成される部材；等が挙げられる。中でも、耐熱性の点から、ガラス基板や、耐熱性樹脂からなるシート、フィルム又は基板が好ましい。また、上記基板は透明基板であることが好適である。
また上記基材には、必要に応じて、コロナ放電処理、オゾン処理、シランカップリング剤等による薬品処理等を行ってもよい。
【０１２４】
〔カラーフィルターの製造方法〕
上記カラーフィルターを得るには、例えば、画素一色につき（すなわち、一色の画素ごとに）、基板上に、上記硬化性樹脂組成物を配置する工程（配置工程とも称す）と、該基板上に配置された硬化性樹脂組成物に光を照射する工程（光照射工程とも称す）と、現像液により現像処理する工程（現像工程とも称す）と、加熱処理する工程（加熱工程とも称す）とを含む手法を採用し、これと同じ手法を各色で繰り返す製造方法を採用することが好適である。なお、各色の画素の形成順序は、特に限定されるものではない。
【０１２５】
−配置工程（好ましくは塗布工程）−
上記配置工程は、塗布により行うことが好適である。基板上に上記硬化性樹脂組成物を塗布する方法としては、例えば、スピン塗布、スリット塗布、ロール塗布、流延塗布等が挙げられ、いずれの方法も好ましく用いることができる。
【０１２６】
上記配置工程ではまた、上記硬化性樹脂組成物を基板上に塗布した後、塗膜を乾燥することが好適である。塗膜の乾燥は、例えば、ホットプレート、ＩＲオーブン、コンベクションオーブン等を用いて行うことができる。乾燥条件は、含まれる溶媒成分の沸点、硬化成分の種類、膜厚、乾燥機の性能等に応じて適宜選択されるが、通常、５０〜１６０℃の温度で１０秒〜３００秒間行うことが好適である。
【０１２７】
−光照射工程−
上記光照射工程において、使用される活性光線の光源としては、例えば、キセノンランプ、ハロゲンランプ、タングステンランプ、高圧水銀灯、超高圧水銀灯、メタルハライドランプ、中圧水銀灯、低圧水銀灯、カーボンアーク、蛍光ランプ等のランプ光源、アルゴンイオンレーザー、ＹＡＧレーザー、エキシマレーザー、窒素レーザー、ヘリウムカドミニウムレーザー、半導体レーザー等のレーザー光源等が使用される。また、露光機の方式としては、プロキシミティー方式、ミラープロジェクション方式、ステッパー方式が挙げられるが、プロキシミティー方式が好ましく用いられる。
なお、活性エネルギー光線の照射工程では、用途によっては、所定のマスクパターンを介して活性エネルギー光線を照射することとしてもよい。この場合、露光部が硬化し、硬化部が現像液に対して不溶化又は難溶化されることになる。
【０１２８】
−現像工程−
上記現像工程は、上述した光照射工程の後、現像液によって現像処理し、未露光部を除去しパターンを形成する工程である。これにより、パターン化された硬化膜を得ることができる。現像処理は、通常、１０〜５０℃の現像温度で、浸漬現像、スプレー現像、ブラシ現像、超音波現像等の方法で行うことができる。
【０１２９】
上記現像工程で使用される現像液は、本発明の硬化性樹脂組成物を溶解するものであれば特に限定されないが、通常、有機溶媒やアルカリ性水溶液が用いられ、これらの混合物を用いてもよい。なお、現像液としてアルカリ性水溶液を用いる場合には、現像後、水で洗浄することが好ましい。
【０１３０】
上記現像液として好適な有機溶媒としては、例えば、エーテル系溶媒やアルコール系溶媒等が挙げられる。具体的には、例えば、ジアルキルエーテル類、エチレングリコールモノアルキルエーテル類、エチレングリコールジアルキルエーテル類、ジエチレングリコールジアルキルエーテル類、トリエチレングリコールジアルキルエーテル類、アルキルフェニルエーテル類、アラルキルフェニルエーテル類、ジ芳香族エーテル類、イソプロパノール、ベンジルアルコール等が挙げられる。
【０１３１】
上記アルカリ性水溶液には、アルカリ剤の他、必要に応じ、界面活性剤、有機溶媒、緩衝剤、染料、顔料等を含有させることができる。この場合の有機溶媒としては、上述した現像液として好適な有機溶媒等が挙げられる。
【０１３２】
上記アルカリ剤としては、例えば、珪酸ナトリウム、珪酸カリウム、水酸化ナトリウム、水酸化カリウム、水酸化リチウム、第三リン酸ナトリウム、第二リン酸ナトリウム、炭酸ナトリウム、炭酸カリウム、炭酸水素ナトリウム等の無機のアルカリ剤；トリメチルアミン、ジエチルアミン、イソプロピルアミン、ｎ−ブチルアミン、モノエタノールアミン、ジエタノールアミン、トリエタノールアミン、テトラメチルアンモニウムヒドロキシド、テトラエチルアンモニウムヒドロキシド等のアミン類が挙げられ、これらは単独でも２種以上を組み合わせてもよい。
【０１３３】
上記界面活性剤としては、例えば、ポリオキシエチレンアルキルエーテル類、ポリオキシエチレンアルキルエステル類、ソルビタン酸アルキルエステル類、モノグリセリドアルキルエステル類等のノニオン系界面活性剤；アルキルベンゼンスルホン酸塩類、アルキルナフタレンスルホン酸塩類、アルキル硫酸塩類、アルキルスルホン酸塩類、スルホコハク酸エステル塩類等のアニオン性界面活性剤；アルキルベタイン類、アミノ酸類等の両性界面活性剤等が挙げられ、これらは単独でも２種以上を組み合わせてもよい。
【０１３４】
−加熱工程−
上記加熱工程は、上述した現像工程の後、焼成によって露光部（硬化部）を更に硬化させる工程（後硬化工程とも称す）である。例えば、高圧水銀灯等の光源を使用して、例えば０．５〜５Ｊ／ｃｍ２の光量で後露光する工程や、例えば６０〜２６０℃の温度で１０秒〜１２０分間にわたって後加熱する工程等が挙げられる。このような後硬化工程を行うことにより、パターン化された硬化膜の硬度及び密着性を更に強固なものとすることが可能になる。また、この加熱工程により、上記硬化性樹脂組成物に含まれる（メタ）アクリレート系重合体の構成単位の一部（すなわち、３級炭素含有（メタ）アクリレート系単量体の一部に由来する部分）が分解されるため、硬化性及び耐溶剤性を高めることができる。
【０１３５】
上記加熱工程によって得られる硬化膜（すなわち、上記硬化性樹脂組成物を熱硬化して得られる硬化膜）の膜厚は、０．１〜２０μｍであることが好適である。本発明の硬化性樹脂組成物を用いることで、充分に膜厚が低減された硬化膜を与えることができる。より好ましくは０．５〜１０μｍ、更に好ましくは０．５〜８μｍである。
なお、上記加熱工程により得られる塗膜（すなわち硬化膜）の膜厚は、加熱前の塗膜の膜厚を１００％とすると、９０％以下であることが好適である。より好ましくは８０％以下、更に好ましくは７０％以下である。
【０１３６】
上記加熱工程において、加熱温度は、１５０℃以上であることが好適である。これにより、上記３級炭素含有（メタ）アクリレート系単量体の一部に由来する部分がより効果的に分解されるため、硬化性及び耐溶剤性の向上をより実現することが可能になる。より好ましくは１６０℃以上、更に好ましくは１７０℃以上、特に好ましくは１８０℃以上である。また、２６０℃以下とすることが好ましく、より好ましくは２５０℃以下である。
【０１３７】
上記加熱工程における加熱時間は特に限定されないが、例えば、５〜６０分間とすることが好適である。また、加熱方法も特に限定されないが、例えば、ホットプレート、コンベクションオーブン、高周波加熱機等の加熱機器を用いて行うことができる。
【０１３８】
〔表示装置〕
本発明はまた、上記カラーフィルターを用いて構成されてなる表示装置でもある。
なお、上記硬化性樹脂組成物により形成される硬化物を有する表示装置用部材及び表示装置もまた、本発明の好適な実施形態に含まれる。上記硬化性樹脂組成物により形成される硬化物（硬化膜）は、安定して、基材等に対する密着性に優れ、かつ高硬度であるうえ、高平滑性を示し、高い透過率を有するものであるから、透明部材として特に好適であり、また、各種表示装置における保護膜や絶縁膜としても有用である。
【０１３９】
上記表示装置としては、例えば、液晶表示装置、固体撮像素子、タッチパネル式表示装置等が好適である。
なお、上記硬化物（硬化膜）を表示装置用部材として用いる場合、当該部材は、上記硬化膜から構成されるフィルム状の単層又は多層の部材であってもよいし、該単層又は多層の部材に更に他の層が組み合わされた部材であってもよいし、また、上記硬化膜を構成中に含む部材であってもよい。
【実施例】
【０１４０】
以下に実施例を掲げて本発明を更に詳細に説明するが、本発明はこれらの実施例のみに限定されるものではない。なお、特に断りのない限り、「部」は「質量部」を意味する。
以下の合成例等において、各種物性等は以下のようにして測定した。
【０１４１】
＜重量平均分子量＞
ポリスチレンを標準物質とし、テトラヒドロフランを溶離液として、ＨＬＣ−８２２０ＧＰＣ（東ソー社製）、カラム：ＴＳＫｇｅｌ  ＳｕｐｅｒＨＺＭ−Ｍ（東ソー社製）によるＧＰＣ（ゲル浸透クロマトグラフィー）法にて重量平均分子量を測定した。
【０１４２】
＜固形分＞
重合体溶液（樹脂溶液又はポリマー溶液とも称す）をアルミカップに約１ｇはかり取り、アセトン約３ｇを加えて溶解させた後、常温で自然乾燥させた。そして、熱風乾燥機（エスペック社製、商品名：ＰＨＨ−１０１）を用い、真空下１４０℃で１．５時間乾燥した後、デシケータ内で放冷し、質量を測定した。その質量減少量から、重合体溶液の固形分（質量％）を計算した。
【０１４３】
＜酸価＞
樹脂溶液３ｇを精秤し、アセトン９０ｇと水１０ｇとの混合溶媒に溶解し、０．１規定のＫＯＨ水溶液を滴定液として用いて、自動滴定装置（平沼産業社製、商品名：ＣＯＭ−５５５）により、重合体溶液の酸価を測定し、溶液の酸価と溶液の固形分とから固形分１ｇ当たりの酸価（ＡＶ）を求めた。
【０１４４】
＜硬化性樹脂組成物の吸光度＞
硬化性樹脂組成物を５ｃｍ角のガラス基板上にスピンコートし、１００℃で３分間乾燥後、高圧水銀灯にて１００ｍＪで露光を行い、２３０℃で３０分時間熱処理を行い、膜厚５μｍの薄膜を得た。その後、１−メチル−２−ピロリドン２０ｇに８５℃で１０分間浸漬し、塗膜から溶出した１−メチル−２−ピロリドンの色相を分光光度計ＵＶ３１００（島津製作所社製）で測定して、４５０ｎｍの吸光度を求めた。
【０１４５】
合成例１
樹脂溶液１（ＢｚＭＩ−ｔ−ＢＭＡ−ＭＭＡ−ＨＥＭＡ−ＡＡＥＭ−ＡＡ共重合体溶液１）の合成
温度計、攪拌機、ガス導入管、冷却管及び滴下槽導入口を備えた反応槽に、プロピレングリコールモノメチルエーテルアセテート１５６．３部を仕込み、窒素置換した後、加熱して９０℃まで昇温した。他方、滴下槽（Ａ）として、ビーカーにＮ−ベンジルマレイミド１０部、メタクリル酸ｔ−ブチル３５部、メタクリル酸メチル１７．１部、メタクリル酸２−ヒドロキシエチル２０部、メタクリル酸２−アセトアセトキシエチル５部、アクリル酸１２．９部及びｔ−ブチルパーオキシ−２−エチルヘキサノエート（日本油脂社製「パーブチルＯ」）２部を攪拌混合したものを準備し、滴下槽（Ｂ）に、ｎ−ドデシルメルカプタン０．６部、プロピレングリコールモノメチルエーテルアセテート２９．４部を攪拌混合したものを準備した。反応槽の温度が９０℃になった後、同温度を保持しながら、滴下槽から３時間かけて滴下を開始し、重合を行った。滴下終了後３０分間９０℃を保った後、１１５℃まで昇温し、９０分間熟成を行った。
得られたポリマー溶液を分析したところ、重量平均分子量は１９５００、酸価は１００ｍｇＫＯＨ／ｇ、樹脂固形分は３４．７質量％であった。
【０１４６】
合成例２
樹脂溶液２（ＢｚＭＩ−ｔ−ＢＭＡ−ＭＭＡ−ＨＥＭＡ−ＡＡＥＭ−ＡＡ共重合体溶液２）の合成
単量体の仕込み量を、Ｎ−ベンジルマレイミド１０部、メタクリル酸ｔ−ブチル３２．１部、メタクリル酸メチル１０部、メタクリル酸２−ヒドロキシエチル２０部、メタクリル酸２−アセトアセトキシエチル１５部、アクリル酸１２．９部とした以外は合成例１と同様の操作を行い、得られたポリマー溶液を分析したところ、重量平均分子量は２００００、酸価は１００ｍｇＫＯＨ／ｇ、樹脂固形分は３４．６質量％であった。
【０１４７】
合成例３
樹脂溶液３（ＢｚＭＩ−ｔ−ＢＭＡ−ＭＭＡ−ＨＥＭＡ−ＡＡＥＭ−ＡＡ共重合体溶液３）の合成
単量体の仕込み量を、Ｎ−ベンジルマレイミド１０部、メタクリル酸ｔ−ブチル３５部、メタクリル酸メチル７．１部、メタクリル酸２−ヒドロキシエチル３０部、メタクリル酸２−アセトアセトキシエチル５部、アクリル酸１２．９部とした以外は合成例１と同様の操作を行い、得られたポリマー溶液を分析したところ、重量平均分子量は２０５００、酸価は１００ｍｇＫＯＨ／ｇ、樹脂固形分は３４．７質量％であった。
【０１４８】
合成例４
樹脂溶液４（ＢｚＭＩ−ｔ−ＢＭＡ−ＨＥＭＡ−ＡＡＥＭ−ＡＡ共重合体溶液４）の合成
単量体の仕込み量を、Ｎ−ベンジルマレイミド１０部、メタクリル酸ｔ−ブチル３２．１部、メタクリル酸２−ヒドロキシエチル３０部、メタクリル酸２−アセトアセトキシエチル１５部、アクリル酸１２．９部とした以外は合成例１と同様の操作を行い、得られたポリマー溶液を分析したところ、重量平均分子量は２１０００、酸価は１００ｍｇＫＯＨ／ｇ、樹脂固形分は３４．６質量％であった。
【０１４９】
合成例５
樹脂溶液５（ＢｚＭＩ−ｔ−ＢＭＡ−ＭＭＡ−ＨＥＭＡ−ＡＡＥＭ−ＭＡＡ共重合体溶液５）の合成
単量体の仕込み量を、Ｎ−ベンジルマレイミド１０部、メタクリル酸ｔ−ブチル３５部、メタクリル酸２−ヒドロキシエチル２０部、メタクリル酸メチル１４．６部、メタクリル酸２−アセトアセトキシエチル５部、メタクリル酸１５．４部とした以外は合成例１と同様の操作を行い、得られたポリマー溶液を分析したところ、重量平均分子量は１９３００、酸価は１００ｍｇＫＯＨ／ｇ、樹脂固形分は３４．７質量％であった。
【０１５０】
合成例６
樹脂溶液６（ＭＤ−ｔ−ＢＭＡ−ＭＭＡ−ＨＥＭＡ−ＡＡＥＭ−ＡＡ共重合体溶液６）の合成
Ｎ−ベンジルマレイミドの代わりに、ジメチル−２，２’−［オキシビス（メチレン）］ビス−２−プロペノエート（ＭＤ）を用いた以外は合成例１と同様の操作を行い、得られたポリマー溶液を分析したところ、重量平均分子量は２００００、酸価は１００ｍｇＫＯＨ／ｇ、樹脂固形分は３４．７質量％であった。
【０１５１】
合成例７
樹脂溶液７（ＡＭＡ−ｔ−ＢＭＡ−ＭＭＡ−ＨＥＭＡ−ＡＡＥＭ−ＡＡ共重合体溶液７）の合成
Ｎ−ベンジルマレイミドの代わりに、メチル−（α−アリルオキシメチル）アクリレート（ＡＭＡ）を用いた以外は合成例１と同様の操作を行い、得られたポリマー溶液を分析したところ、重量平均分子量は１９０００、酸価は１００ｍｇＫＯＨ／ｇ、樹脂固形分は３４．７質量％であった。
【０１５２】
合成例８
樹脂溶液８（ＢｚＭＩ−ｔ−ＢＭＡ−ＭＭＡ−ＨＥＭＡ−ＡＡ共重合体溶液８）の合成
単量体の仕込み量を、Ｎ−ベンジルマレイミド１０部、メタクリル酸ｔ−ブチル３５部、メタクリル酸メチル２２．１部、メタクリル酸２−ヒドロキシエチル２０部、アクリル酸１２．９部とした以外は合成例１と同様の操作を行い、得られたポリマー溶液を分析したところ、重量平均分子量は１９０００、酸価は１００ｍｇＫＯＨ／ｇ、樹脂固形分は３４．７質量％であった。
【０１５３】
合成例９
樹脂溶液９（ＢｚＭＩ−ＭＭＡ−ＨＥＭＡ−ＡＡＥＭ−ＡＡ共重合体溶液９）の合成
単量体の仕込み量を、Ｎ−ベンジルマレイミド１０部、メタクリル酸メチル５２．１部、メタクリル酸２−ヒドロキシエチル２０部、メタクリル酸２−アセトアセトキシエチル５部、アクリル酸１２．９部とした以外は合成例１と同様の操作を行い、得られたポリマー溶液を分析したところ、重量平均分子量は１９５００、酸価は１００ｍｇＫＯＨ／ｇ、樹脂固形分は３４．７質量％であった。
【０１５４】
合成例１０
樹脂溶液１０（ＢｚＭＩ−ｔ−ＢＭＡ−ＭＭＡ−ＡＡＥＭ−ＡＡ共重合体溶液１０）の合成
単量体の仕込み量を、Ｎ−ベンジルマレイミド１０部、メタクリル酸ｔ−ブチル３５部、メタクリル酸メチル３７．１部、メタクリル酸２−アセトアセトキシエチル５部、アクリル酸１２．９部とした以外は合成例１と同様の操作を行い、得られたポリマー溶液を分析したところ、重量平均分子量は１９０００、酸価は１００ｍｇＫＯＨ／ｇ、樹脂固形分は３４．６質量％であった。
【０１５５】
表１に、樹脂溶液１〜１０の詳細を示す。
【０１５６】
【表１】
0006495769.tif 000006
【０１５７】
表１中の記号は、下記のとおりである。
ＢｚＭＩ：Ｎ−ベンジルマレイミド
ＭＤ：ジメチル−２，２’−［オキシビス（メチレン）］ビス−２−プロペノエート
ＡＭＡ：メチル−（α−アリルオキシメチル）アクリレート
ＭＭＡ：メタクリル酸メチル
ｔ−ＢＭＡ：メタクリル酸ｔ−ブチル
ＨＥＭＡ：メタクリル酸２−ヒドロキシエチル
ＡＡＥＭ：メタクリル酸２−アセトアセトキシエチル
ＡＡ：アクリル酸
ＭＡＡ：メタクリル酸
【０１５８】
作製例１
顔料分散体１の作製
プロピレングリコールモノメチルエーテルアセテートを１２．９部、分散剤としてディスパロンＤＡ−７３０１を０．４部、色材としてＣ．Ｉ．ピグメントグリーン５８を２．２５部、及び、Ｃ．Ｉ．ピグメントイエロー１３８を１．５部混合し、ペイントシェーカーにて３時間分散することで顔料分散体１を得た。
【０１５９】
実施例１
樹脂溶液１を２．０部、ラジカル重合性化合物としてジペンタエリスリトールヘキサアクリレートを０．７０部、ラジカル重合性光重合開始剤としてイルガキュア３６９（チバ・スペシャルティ・ケミカルズ社製）を０．３５部、顔料分散体１を８．５部、溶媒としてプロピレングリコールモノメチルエーテルアセテート６．５７部を混合し、硬化性樹脂組成物１を得た。この硬化性樹脂組成物をガラス基板上にスピンコートし、前記条件で硬化物を作成し、ＮＭＰ溶出試験を実施した。ＮＭＰの吸光度を測定すると、４×１０−２であった。
【０１６０】
実施例２〜７、比較例１〜３
表２及び３に示す配合としたこと以外は実施例１と同様にして、硬化性樹脂組成物２〜７、硬化性樹脂組成物９〜１１を各々得た後、ＮＭＰ溶出試験後のＮＭＰの吸光度を各々測定した。結果を表２及び３に示す。
【０１６１】
実施例８、比較例４
ラジカル重合性開始剤をイルガキュアＯＸＥ０１（チバ・スペシャルティ・ケミカルズ社製）に変更したこと以外は実施例１と同様にして、硬化性樹脂組成物８、硬化性樹脂組成物１２を各々得た後、ＮＭＰ溶出試験後のＮＭＰの吸光度を各々測定した。結果を表２及び３に示す。
【０１６２】
【表２】
0006495769.tif 000007
【０１６３】
【表３】
0006495769.tif 000008
【０１６４】
表２及び３の結果より、下記のことが確認された。
実施例１〜７で得た硬化性樹脂組成物は、樹脂溶液１〜７として、３級炭素含有（メタ）アクリレート系単量体単位、水酸基を有する単量体単位、及び、活性メチレン基を有する単量体単位を併せ持つ重合体を含むのに対し、比較例１〜３で得た硬化性樹脂組成物が有する重合体は、これらの単量体単位のいずれかを有さない。この点で、実施例１〜７と比較例１〜３とは主に相違する。この相違の下、同様の条件で硬化物を得て吸光度を測定した結果を比較すると、実施例１〜７の硬化性樹脂組成物に比較して、比較例１〜３の硬化性樹脂組成物では、硬化物の吸光度が著しく大きく、硬化物から色材が溶出していることが分かる。硬化性組成物の硬化性や耐溶剤性が不充分であると、色材が溶出することに起因して溶出液の吸光度が大きくなるため、表２の結果から、実施例に比較して比較例の硬化性樹脂組成物は、硬化性及び耐溶剤性が不充分であったことが分かる。また、実施例１、３、５〜７と、実施例２、４との比較により、ＡＡＥＭ単位及び／又はＨＥＭＡ単位が多いほど、耐溶剤性が一層向上していることが明確である。
【０１６５】
実施例８（ＡＡＥＭ単位を含む樹脂溶液４を使用し、ラジカル重合性光開始剤としてイルガキュアＯＸＥ０１を使用）と、実施例４（ＡＡＥＭ単位を含む樹脂溶液４を使用し、イルガキュア３６９を使用）とを比較すると、実施例８では吸光度が著しく低いため、耐溶剤性が大きく向上していることが分かる。一方、比較例４（ＡＡＥＭ単位を含まない樹脂溶液８を使用し、ラジカル重合性光開始剤としてイルガキュアＯＸＥ０１を使用）と、比較例１（ＡＡＥＭ単位を含まない樹脂溶液８を使用し、ラジカル重合性光開始剤としてイルガキュア３６９を使用）とを比較すると、比較例４では吸光度が少し低い程度で、耐溶剤性が殆ど向上しないことが分かる。これらの結果から、ＡＡＥＭ単位を含む樹脂溶液は、ラジカル重合性光開始剤としてオキシム系化合物（好ましくはオキシムエステル系化合物）を使用すると、耐溶剤性が一層向上していることが明確である。つまり、オキシム系化合物（好ましくはオキシムエステル系化合物）を使用することで耐溶剤性が著しく向上されるという効果は、ＡＡＥＭ単位等の活性メチレン基を有する単量体単位を含む重合体を用いる場合に特有の効果であることが分かった。
【０１６６】
また実施例１（アクリル酸を原料として用いた樹脂溶液１を使用）では、実施例５（メタクリル酸を原料として用いた樹脂溶液５を使用）よりも吸光度が低い。このことから、耐溶剤性において、メタクリル酸系の重合体より、アクリル酸系の重合体を用いることの優位性が確認された。その他、表には示していないが、実施例で得た硬化物はいずれも、現像性、基板との密着性及び耐熱性等の各種物性にも優れるものであった。
【産業上の利用可能性】
【０１６７】
本発明の硬化性樹脂組成物により形成される硬化物を含む表示装置用部材及び表示装置は、光学分野や電機・電子分野で好適に使用できる。